(57)【要約】【課題】  複数の表示装置の消費電力を低減しつつ複数の表示装置の状態を表示する。【解決手段】  充電装置は、表示装置と電気的に接続される複数のスロットと、複数のスロットのうち複数の表示装置のいずれかと電気的に接続されているスロットを接続スロットとして検出する接続スロット検出部２５１と、複数の接続スロットが検出される場合、複数のスロットの配列順に基づいて、複数の接続スロットのうちから１つの代表スロットを決定する代表スロット決定部２５７と、複数の接続スロットが検出される場合、複数の接続スロットにそれぞれ接続されている複数の表示装置のうち代表スロットに接続されている代表装置の表示を制御する表示制御部２５９と、を備える。【選択図】        図７
2013183586.tif 000002
【特許請求の範囲】
【請求項１】
表示装置と電気的に接続される複数のスロットと、
前記複数のスロットのうち複数の前記表示装置のいずれかと電気的に接続されているスロットを接続スロットとして検出する接続スロット検出手段と、
前記接続スロット検出手段により複数の接続スロットが検出される場合、前記複数のスロットの配列順に基づいて、前記複数の接続スロットのうちから１つの代表スロットを決定する代表スロット決定手段と、
前記接続スロット検出手段により複数の接続スロットが検出される場合、前記複数の接続スロットにそれぞれ接続されている複数の前記表示装置のうち前記代表スロットに接続されている代表装置の表示を制御する表示制御手段と、を備えた充電装置。
【請求項２】
前記接続スロットを介して、当該接続スロットと電気的に接続される前記表示装置から当該表示装置の状態を示す状態情報を取得する状態情報取得手段と、
前記接続スロットと、当該接続スロットと電気的に接続される前記表示装置から取得された状態情報とを関連付けた接続情報を生成する接続情報生成手段と、をさらに備え、
前記表示制御手段は、前記接続スロット検出手段により複数の接続スロットが検出される場合、前記接続情報生成手段により前記複数の接続スロットにそれぞれ対応して生成された複数の前記接続情報を、前記代表装置に表示させる接続情報表示手段を含む、請求項１に記載の充電装置。
【請求項３】
前記表示制御手段は、複数の前記状態情報に基づいて、前記複数の接続スロットにそれぞれ接続されている複数の前記表示装置ごとに、当該表示装置に関連付けられた前記状態情報を含む状態一覧画面を生成する状態一覧画面生成手段を含む、請求項２に記載の充電装置。
【請求項４】
画像を形成する画像形成装置と通信可能な通信手段を、さらに備え、
前記画像形成装置は、当該画像形成装置を操作するユーザーが入力する操作を受け付ける操作受付手段と、
前記操作受付手段によりユーザーを識別するための装置ユーザー識別情報を含む認証情報が受け付けられることに応じて、前記認証情報に基づいて、前記画像形成装置を操作するユーザーを認証する認証手段と、を備え、
前記複数の表示装置それぞれは、当該表示装置を操作するユーザーを識別するための携帯ユーザー識別情報を記憶可能であり、
前記充電装置は、さらに、
前記画像形成装置から前記認証手段により認証されたユーザーの前記装置ユーザー識別情報を取得する操作ユーザー特定手段と、
前記接続スロット検出手段により複数の接続スロットが検出される場合、前記複数の接続スロットにそれぞれ接続されている複数の前記表示装置のうちに前記取得された装置ユーザー識別情報と同じ携帯ユーザー識別情報を記憶する表示装置が存在する場合、当該表示装置を第１ユーザー装置に決定する第１ユーザー装置決定手段と、を備え、
前記表示制御手段は、前記第１ユーザー装置が決定される場合、前記決定された第１ユーザー装置から取得された状態情報を、前記代表スロットに接続されている前記代表装置に表示させる、請求項１〜３のいずれかに記載の充電装置。
【請求項５】
前記画像形成装置が備える前記操作受付手段により受け付けられる操作を検出する操作検出手段と、
前記接続スロット検出手段により複数の接続スロットが検出される場合、前記操作検出手段により検出された操作に基づいて、前記接続スロット検出手段により検出された前記複数の接続スロットにそれぞれ電気的に接続される複数の前記装着装置のうちから１つを第２ユーザー装置に決定する第２ユーザー装置決定手段と、
前記第２ユーザー装置が決定されることに応じて、前記操作ユーザー特定手段によって取得された前記装置ユーザー識別情報と同じ携帯ユーザー識別情報を、前記決定された第２ユーザー装置に記憶させる記憶制御手段と、をさらに備えた請求項４に記載の充電装置。
【請求項６】
前記表示制御手段は、前記記憶制御手段が前記携帯ユーザー情報を前記第２ユーザー装置に記憶させている間、前記第２ユーザー装置を識別するための装置識別情報を、前記代表スロットに接続されている前記代表装置に表示させる、請求項５に記載の充電装置。
【請求項７】
前記第２ユーザー装置が決定される場合、前記第２ユーザー装置が前記第１ユーザー装置と異なることを条件に、前記第１ユーザー装置に、当該第１ユーザー装置に記憶されている前記携帯ユーザー識別情報を消去させる消去制御手段を、さらに備えた請求項５または６に記載の充電システム。
【請求項８】
前記複数の表示装置それぞれは、前記複数のスロットと接続される前に、データを出力するための出力方法を定める設定情報を受け付ける出力設定手段と、
前記複数のスロットのいずれかと接続された後に、データと、前記受け付けられた設定情報とを含む出力指示と、を前記充電装置に出力する設定情報出力手段と、を備えており、
前記充電装置は、さらに、前記接続スロット検出手段により前記接続スロットが検出される場合、前記複数の表示装置のうち前記接続スロットに接続された前記表示装置が出力する前記データおよび前記設定情報を取得する設定情報取得手段と、
前記データおよび前記設定情報が取得される場合、前記取得されたデータに対して前記取得された設定情報で特定される処理を、前記画像形成装置に実行させる処理実行制御手段と、を備える請求項１〜７のいずれかに記載の充電装置。
【請求項９】
前記処理実行制御手段は、前記設定情報が取得されない場合、前記取得されたデータを前記画像処理装置に出力するとともに、設定情報を受け付ける処理を前記画像形成装置に実行させる、請求項８に記載の充電装置。
【請求項１０】
前記接続スロット検出手段により検出された前記接続スロットにおいて、当該接続スロットと電気的に接続される表示装置との電気的な接続が解除される場合、当該接続スロットを解除スロットとして検出する解除スロット検出手段と、
前記接続情報生成手段により生成された接続情報のうち前記解除スロットに関連付けられた接続情報を消去する接続情報更新手段と、をさらに備え、
前記代表スロット決定手段は、前記解除スロット検出手段により検出された解除スロットが前記代表スロットの場合、前記複数の接続スロットのうち前記解除スロットを除く複数の接続スロットのうちから新たな代表スロットを決定する、請求項１〜９のいずれかに記載の充電装置。
【請求項１１】
表示装置と電気的に接続される複数のスロットを備えた受電装置で実行される表示装置管理方法であって、
前記複数のスロットのうち複数の前記表示装置のいずれかと電気的に接続されているスロットを接続スロットとして検出する接続スロット検出ステップと、
前記接続スロット検出ステップにおいて複数の接続スロットが検出される場合、前記複数のスロットの配列順に基づいて、前記複数の接続スロットのうちから１つの代表スロットを決定する代表スロット決定ステップと、
前記接続スロット検出ステップにおいて複数の接続スロットが検出される場合、前記複数の接続スロットにそれぞれ接続されている複数の前記表示装置のうち前記代表スロットに接続されている代表装置の表示を制御する表示制御ステップと、を含む表示装置管理方法。
【請求項１２】
表示装置と電気的に接続される複数のスロットを備えた受電装置を制御するコンピュータで実行される表示装置管理プログラムであって、
前記複数のスロットのうち複数の前記表示装置のいずれかと電気的に接続されているスロットを接続スロットとして検出する接続スロット検出ステップと、
前記接続スロット検出ステップにおいて複数の接続スロットが検出される場合、前記複数のスロットの配列順に基づいて、前記複数の接続スロットのうちから１つの代表スロットを決定する代表スロット決定ステップと、
前記接続スロット検出ステップにおいて複数の接続スロットが検出される場合、前記複数の接続スロットにそれぞれ接続されている複数の前記表示装置のうち前記代表スロットに接続されている代表装置の表示を制御する表示制御ステップと、を前期コンピュータに実行させる表示装置管理プログラム。
【発明の詳細な説明】
【技術分野】
【０００１】
この発明は、充電装置、表示装置管理方法および表示装置管理プログラムに関し、特に、複数の表示装置を充電可能な充電装置、その充電装置で実行される表示装置管理方法および表示装置管理プログラムに関する。
【背景技術】
【０００２】
近年、電子ペーパー、またはスマートホン等のＰＤＡ（Ｐｅｒｓｏｎａｌ  Ｄｉｇｉｔａｌ  Ａｓｓｉｓｔａｎｔs）は、バッテリーで駆動するために、使用する前に、バッテリーを充電する必要がある。また、電子ペーパー、またはスマートホン等のＰＤＡは、電子化された文書を記憶可能であり、時と場所を選ばず、文書を閲覧したり、編集したりでき、携帯型の表示装置として機能する。
【０００３】
この表示装置を複数台準備しておき、複数のユーザーそれぞれが複数の表示装置のうちから選択された１台を使用する場合がある。この場合には、複数の表示装置を同時に充電できると便利である。例えば、特開２００８−２７８５９２号公報（特許文献１）には、複数の携帯デバイスに対応して設けられ携帯デバイスと有線または無線で接続する複数のインターフェースと、携帯デバイスのための充電パラメータを設定する充電パラメータ設定部と、充電パラメータ設定部に設定されたパラメータに基づいて、複数の携帯デバイスへの充電タイミングを切り換えるスイッチング制御部と、スイッチング制御部により選択された携帯デバイスへ充電を行う充電部と、を備えた、複数携帯デバイス用の充電装置が記載されている。
【０００４】
一方、複数の表示装置を充電装置で充電する場合、収納スペースを小さくするために、複数の表示装置を充電装置に装着した状態で表示面が重なる場合がある。このため、表示装置を充電中に表示装置の状態を確認するためには、表示装置を充電装置から取り外さなければならないといった問題がある。
【特許文献１】特開２００８−２７８５９２号公報
【発明の概要】
【発明が解決しようとする課題】
【０００５】
この発明は上述した問題点を解決するためになされたもので、この発明の目的の一つは、複数の表示装置の消費電力を低減しつつ複数の表示装置の状態を表示することが可能な充電装置を提供することである。
【０００６】
この発明の他の目的は、複数の表示装置の消費電力を低減しつつ複数の表示装置の状態を表示することが可能な表示装置管理方法を提供することである。
【０００７】
この発明のさらに他の目的は、複数の表示装置の消費電力を低減しつつ複数の表示装置の状態を表示することが可能な表示装置管理プログラムを提供することである。
【課題を解決するための手段】
【０００８】
上述した目的を達成するためにこの発明のある局面によれば、充電装置は、表示装置と電気的に接続される複数のスロットと、複数のスロットのうち複数の表示装置のいずれかと電気的に接続されているスロットを接続スロットとして検出する接続スロット検出手段と、接続スロット検出手段により複数の接続スロットが検出される場合、複数のスロットの配列順に基づいて、複数の接続スロットのうちから１つの代表スロットを決定する代表スロット決定手段と、接続スロット検出手段により複数の接続スロットが検出される場合、複数の接続スロットにそれぞれ接続されている複数の表示装置のうち代表スロットに接続されている代表装置の表示を制御する表示制御手段と、を備える。
【０００９】
この局面に従えば、複数のスロットのうち複数の表示装置のいずれかと電気的に接続されているスロットが接続スロットとして検出され、複数の接続スロットが検出される場合、複数のスロットの配列順に基づいて代表スロットが決定され、代表スロットに接続されている代表装置の表示が制御される。このため、複数の表示装置のうちから決定された代表装置の表示を制御するので、複数の表示装置に表示するための情報を１つの代表装置に表示することができる。その結果、複数の表示装置の消費電力を低減しつつ複数の表示装置の状態を表示することが可能な充電装置を提供することができる。
【００１０】
好ましくは、接続スロットを介して、当該接続スロットと電気的に接続される表示装置から当該表示装置の状態を示す状態情報を取得する状態情報取得手段と、接続スロットと、当該接続スロットと電気的に接続される表示装置から取得された状態情報とを関連付けた接続情報を生成する接続情報生成手段と、をさらに備え、表示制御手段は、接続スロット検出手段により複数の接続スロットが検出される場合、接続情報生成手段により複数の接続スロットにそれぞれ対応して生成された複数の接続情報を、代表装置に表示させる接続情報表示手段を含む。
【００１１】
この局面に従えば、接続スロットと、接続スロットと電気的に接続される表示装置から取得された状態情報とを関連付けた接続情報が生成され、生成された複数の接続情報が代表装置に表示される。このため、複数の表示装置が複数のスロットのいずれに接続されているかを代表装置に表示することができる。
【００１２】
好ましくは、表示制御手段は、複数の状態情報に基づいて、複数の接続スロットにそれぞれ接続されている複数の表示装置ごとに、当該表示装置に関連付けられた状態情報を含む状態一覧画面を生成する状態一覧画面生成手段を含む。
【００１３】
この局面に従えば、複数の表示装置ごとに、当該表示装置に関連付けられた状態情報を含む状態一覧画面が生成されるので、複数の表示装置の状態を一画面で表示することができる。
【００１４】
好ましくは、画像を形成する画像形成装置と通信可能な通信手段を、さらに備え、画像形成装置は、当該画像形成装置を操作するユーザーが入力する操作を受け付ける操作受付手段と、操作受付手段によりユーザーを識別するための装置ユーザー識別情報を含む認証情報が受け付けられることに応じて、認証情報に基づいて、画像形成装置を操作するユーザーを認証する認証手段と、を備え、複数の表示装置それぞれは、当該表示装置を操作するユーザーを識別するための携帯ユーザー識別情報を記憶可能であり、充電装置は、さらに、画像形成装置から認証手段により認証されたユーザーの装置ユーザー識別情報を取得する操作ユーザー特定手段と、接続スロット検出手段により複数の接続スロットが検出される場合、複数の接続スロットにそれぞれ接続されている複数の表示装置のうちに取得された装置ユーザー識別情報と同じ携帯ユーザー識別情報を記憶する表示装置が存在する場合、当該表示装置を第１ユーザー装置に決定する第１ユーザー装置決定手段と、を備え、表示制御手段は、第１ユーザー装置が決定される場合、決定された第１ユーザー装置から取得された状態情報を、代表スロットに接続されている代表装置に表示させる。
【００１５】
この局面に従えば、複数の接続スロットにそれぞれ接続されている複数の表示装置のうちに、画像形成装置において認証されたユーザーの装置ユーザー識別情報と同じ携帯ユーザー識別情報を記憶する表示装置が第１ユーザー装置に決定され、第１ユーザー装置から取得された状態情報が代表装置に表示される。このため、画像形成装置を操作するユーザーは、過去に使用していた表示装置の状態を知ることができる。
【００１６】
好ましくは、画像形成装置が備える操作受付手段により受け付けられる操作を検出する操作検出手段と、接続スロット検出手段により複数の接続スロットが検出される場合、操作検出手段により検出された操作に基づいて、接続スロット検出手段により検出された複数の接続スロットにそれぞれ電気的に接続される複数の装着装置のうちから１つを第２ユーザー装置に決定する第２ユーザー装置決定手段と、第２ユーザー装置が決定されることに応じて、操作ユーザー特定手段によって取得された装置ユーザー識別情報と同じ携帯ユーザー識別情報を、決定された第２ユーザー装置に記憶させる記憶制御手段と、をさらに備える。
【００１７】
この局面に従えば、複数の接続スロットにそれぞれ接続されている複数の表示装置のうちから、画像形成装置において認証されたユーザーによる操作に基づいて、第２ユーザー装置が決定され、画像形成装置において認証されたユーザーの装置ユーザー識別情報と同じ携帯ユーザー識別情報が第２ユーザー装置に記憶される。このため、画像形成装置を操作するユーザーは、複数の表示装置のうちからこれから使用する表示装置を任意に決定することができる。
【００１８】
好ましくは、表示制御手段は、記憶制御手段が携帯ユーザー情報を第２ユーザー装置に記憶させている間、第２ユーザー装置を識別するための装置識別情報を、代表スロットに接続されている代表装置に表示させる。
【００１９】
この局面に従えば、第２ユーザー装置を識別するための装置識別情報が代表装置に表示されるので、画像形成装置において認証されたユーザーは、これから使用する表示装置を確認することができる。
【００２０】
好ましくは、第２ユーザー装置が決定される場合、第２ユーザー装置が第１ユーザー装置と異なることを条件に、第１ユーザー装置に、当該第１ユーザー装置に記憶されている携帯ユーザー識別情報を消去させる消去制御手段を、さらに備える。
【００２１】
この局面に従えば、第２ユーザー装置が第１ユーザー装置と異なる場合、第１ユーザー装置に記憶されている携帯ユーザー識別情報が消去される。このため、第１ユーザー装置を次に使用するユーザーに、画像形成装置において認証されたユーザーに関する情報が知られるのを防止することができる。
【００２２】
好ましくは、複数の表示装置それぞれは、複数のスロットと接続される前に、データを出力するための出力方法を定める設定情報を受け付ける出力設定手段と、複数のスロットのいずれかと接続された後に、データと、受け付けられた設定情報とを含む出力指示と、を充電装置に出力する設定情報出力手段と、を備えており、充電装置は、さらに、接続スロット検出手段により接続スロットが検出される場合、複数の表示装置のうち接続スロットに接続された表示装置が出力するデータおよび設定情報を取得する設定情報取得手段と、データおよび設定情報が取得される場合、取得されたデータに対して取得された設定情報で特定される処理を、画像形成装置に実行させる処理実行制御手段と、を備える。
【００２３】
この局面に従えば、複数の表示装置のうち接続スロットに接続された表示装置が出力するデータおよび設定情報が取得され、取得されたデータに対して設定情報で特定される処理を画像形成装置に実行させる。このため、画像形成装置に実行させる処理を表示装置で設定することができ、画像形成装置に設定する必要がない。
【００２４】
好ましくは、処理実行制御手段は、設定情報が取得されない場合、取得されたデータを画像処理装置に出力するとともに、設定情報を受け付ける処理を画像形成装置に実行させる。
【００２５】
この局面に従えば、設定情報が取得されない場合、設定情報を受け付ける処理を画像形成装置に実行させるので、画像形成装置でデータを処理させるための設定情報を設定することができる。
【００２６】
好ましくは、接続スロット検出手段により検出された接続スロットにおいて、当該接続スロットと電気的に接続される表示装置との電気的な接続が解除される場合、当該接続スロットを解除スロットとして検出する解除スロット検出手段と、接続情報生成手段により生成された接続情報のうち解除スロットに関連付けられた接続情報を消去する接続情報更新手段と、をさらに備え、代表スロット決定手段は、解除スロット検出手段により検出された解除スロットが代表スロットの場合、複数の接続スロットのうち解除スロットを除く複数の接続スロットのうちから新たな代表スロットを決定する。
【００２７】
この局面に従えば、接続スロットにおいて表示装置との電気的な接続が解除される場合、当該接続スロットが解除スロットとして検出され、接続情報のうち解除スロットに関連付けられた接続情報が消去され、解除スロットが代表スロットの場合、複数の接続スロットのうち解除スロットを除く複数の接続スロットのうちから新たな代表スロットが決定される。このため、新たな代表スロットに接続情報を表示することができる。
【００２８】
この発明の他の局面によれば、表示装置管理方法は、表示装置と電気的に接続される複数のスロットを備えた受電装置で実行される表示装置管理方法であって、複数のスロットのうち複数の表示装置のいずれかと電気的に接続されているスロットを接続スロットとして検出する接続スロット検出ステップと、接続スロット検出ステップにおいて複数の接続スロットが検出される場合、複数のスロットの配列順に基づいて、複数の接続スロットのうちから１つの代表スロットを決定する代表スロット決定ステップと、接続スロット検出ステップにおいて複数の接続スロットが検出される場合、複数の接続スロットにそれぞれ接続されている複数の表示装置のうち代表スロットに接続されている代表装置の表示を制御する表示制御ステップと、を含む。
【００２９】
この局面に従えば、複数の表示装置の消費電力を低減しつつ複数の表示装置の状態を表示することが可能な表示装置管理方法を提供することができる。
【００３０】
この発明のさらに他の局面によれば、表示装置管理プログラムは、表示装置と電気的に接続される複数のスロットを備えた受電装置を制御するコンピュータで実行される表示装置管理プログラムであって、複数のスロットのうち複数の表示装置のいずれかと電気的に接続されているスロットを接続スロットとして検出する接続スロット検出ステップと、接続スロット検出ステップにおいて複数の接続スロットが検出される場合、複数のスロットの配列順に基づいて、複数の接続スロットのうちから１つの代表スロットを決定する代表スロット決定ステップと、接続スロット検出ステップにおいて複数の接続スロットが検出される場合、複数の接続スロットにそれぞれ接続されている複数の表示装置のうち代表スロットに接続されている代表装置の表示を制御する表示制御ステップと、を前期コンピュータに実行させる。
【００３１】
この局面に従えば、複数の表示装置の消費電力を低減しつつ複数の表示装置の状態を表示することが可能な表示装置管理プログラムを提供することができる。
【図面の簡単な説明】
【００３２】
【図１】本発明の実施の形態の１つにおける会議システムの全体概要を示す図である。
【図２】表示装置が装着された充電装置およびＭＦＰの外観を示す斜視図である。
【図３】（Ａ）は、充電装置に表示装置が装着される前の状態を示す斜視図であり、（Ｂ）は、充電装置に表示装置が装着された後の状態を示す斜視図である。
【図４】充電装置のハードウェア構成の一例を示すブロック図である。
【図５】表示装置のハードウェア構成の一例を示すブロック図である。
【図６】ＭＦＰのハードウェア構成の一例を示すブロック図である。
【図７】充電装置が備えるＣＰＵが有する機能の一例を示すブロック図である。
【図８】状態一覧画面の一例を示す図である。
【図９】書込み中画面の一例を示す図である。
【図１０】表示装置が備えるＣＰＵの機能の一例をＥＥＰＲＯＭに記憶される情報とともに示すブロック図である。
【図１１】携帯側出力設定画面の一例を示す図である。
【図１２】ＭＦＰが備えるＣＰＵの機能の一例を示すブロック図である。
【図１３】出力設定画面の一例を示す図である。
【図１４】表示装置管理処理の流れの一例を示すフローチャートである。
【図１５】ＭＦＰ連携処理の流れの一例を示すフローチャートである。
【図１６】充電時制御処理の流れの一例を示すフローチャートである。
【図１７】情報送受信処理の流れの一例を示すフローチャートである。
【図１８】充電装置連携処理の流れの一例を示すフローチャートである。
【図１９】代表装置の変化の一例を示す第１の図である。
【図２０】代表装置の変化の一例を示す第２の図である。
【発明を実施するための形態】
【００３３】
以下、本発明の実施の形態について図面を参照して説明する。以下の説明では同一の部品には同一の符号を付してある。それらの名称および機能も同じである。したがってそれらについての詳細な説明は繰り返さない。
【００３４】
図１は、本発明の実施の形態の１つにおける会議システムの全体概要を示す図である。図１を参照して、会議システム１は、複合機（以下、「ＭＦＰ」という）１００と、ＭＦＰ１００に接続された充電装置２００と、表示装置１０，１０Ａ，１０Ｂ，１０Ｃ，１０Ｄと、無線局５と、を含む。ＭＦＰ１００と、無線局５とは、ネットワーク３に接続される。このため、ＭＦＰ１００および無線局５各々は、ネットワーク３を介して互いに通信可能である。
【００３５】
表示装置１０，１０Ａ，１０Ｂ，１０Ｃ，１０Ｄは、電子ペーパー、またはスマートホン等のＰＤＡ（Ｐｅｒｓｏｎａｌ  Ｄｉｇｉｔａｌ  Ａｓｓｉｓｔａｎｔs）である。ここでは、表示装置１０，１０Ａ，１０Ｂ，１０Ｃ，１０Ｄを、ＰＤＡとする場合を例に説明する。表示装置１０，１０Ａ，１０Ｂ，１０Ｃ，１０Ｄは、無線ＬＡＮ通信機能を備えている。
【００３６】
また、表示装置１０，１０Ａ，１０Ｂ，１０Ｃ，１０Ｄそれぞれは、バッテリーを内蔵しており、バッテリーに蓄積された電力を用いて単独で駆動することができる。表示装置１０，１０Ａ，１０Ｂ，１０Ｃ，１０Ｄそれぞれは、充電装置２００に着脱自在であり、充電装置２００に装着された状態で、充電装置２００から電力が供給され、充電装置２００から供給される電力をバッテリーに蓄積する。また、表示装置１０，１０Ａ，１０Ｂ，１０Ｃ，１０Ｄそれぞれは、表面に液晶表示装置（ＬＣＤ）と、タッチパネルとを備えている。表示装置１０，１０Ａ，１０Ｂ，１０Ｃ，１０Ｄそれぞれを操作するユーザーは、ＬＣＤに表示された画像を閲覧するとともに、スタイラスペン９１、９１Ａ，９１Ｂ，９１Ｃ，９１Ｄを用いてタッチパネルに手書きの文字または図形を入力することができる。
【００３７】
ネットワーク３には無線局５が接続される。無線局５は、ネットワーク３の中継装置であり、無線ＬＡＮ通信機能を備えた表示装置１０，１０Ａ，１０Ｂ，１０Ｃ，１０Ｄと通信して、表示装置１０，１０Ａ，１０Ｂ，１０Ｃ，１０Ｄをネットワーク３に接続する。このため、表示装置１０，１０Ａ，１０Ｂ，１０Ｃ，１０Ｄそれぞれは、ネットワーク３に接続された、ＭＦＰ１００とデータの送受信が可能である。
【００３８】
ネットワーク３は、ローカルエリアネットワーク（ＬＡＮ）であり、接続形態は有線または無線を問わない。またネットワーク３は、ＬＡＮに限らず、ワイドエリアネットワーク（ＷＡＮ）、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク３は、インターネットに接続されている。このため、ＭＦＰ１００、表示装置１０，１０Ａ，１０Ｂ，１０Ｃ，１０Ｄ各々は、インターネットに接続されたサーバー等のコンピューターと通信が可能である。
【００３９】
充電装置２００は、表示装置１０，１０Ａ，１０Ｂ，１０Ｃ，１０Ｄを保持可能であり、表示装置１０，１０Ａ，１０Ｂ，１０Ｃ，１０Ｄのいずれかが充電装置２００に装着される場合、表示装置１０，１０Ａ，１０Ｂ，１０Ｃ，１０Ｄのうち装着された装着装置と電気的に接続される５つのスロットを有する。充電装置２００は、表示装置１０，１０Ａ，１０Ｂ，１０Ｃ，１０Ｄそれぞれを、その表示面がＭＦＰ１００を操作するユーザーに向く方向となるように保持する。ここでは、その表示面がＭＦＰ１００を操作するユーザーに向く方向を、前方向という。
【００４０】
なお、図ではネットワーク３に、画像処理装置として１台のＭＦＰ（Ｍｕｌｔｉ  Ｆｕｎｃｔｉｏｎ  Ｐｅｒｉｐｈｅｒａｌ）１００が接続される例を示しているが、ＭＦＰの数はこれに限定されるものではなく、１台以上であればよい。また、ＭＦＰ１００に代えて、例えば、コンピューター、ファクシミリ、プリンタ等であってもよい。また、ネットワーク３に、５台の表示装置１０，１０Ａ，１０Ｂ，１０Ｃ，１０Ｄが接続される例を示しているが、台数を限定するものではなく、２台以上であればよい。
【００４１】
本実施の形態における会議システム１においては、会議に参加するユーザーそれぞれが、表示装置１０，１０Ａ，１０Ｂ，１０Ｃ，１０Ｄのいずれかを携帯し、会議の資料等を閲覧することが可能である。この場合、表示装置１０，１０Ａ，１０Ｂ，１０Ｃ，１０Ｄそれぞれが、ＭＦＰ１００と通信し、データを送受信する。データを送受信するプロトコルは、特に限定されることはなく、任意のプロトコルを用いることが可能である。
【００４２】
図２は、表示装置が装着された充電装置およびＭＦＰの外観を示す斜視図である。図３（Ａ）は、充電装置２００に表示装置１０が装着される前の状態を示す斜視図であり、図３（Ｂ）は、充電装置２００に表示装置１０が装着された後の状態を示す斜視図である。図２、図３（Ａ）および図３（Ｂ）を参照して、ＭＦＰ１００の上部に充電装置２００が設置される。充電装置２００は、表示装置１０，１０Ａ，１０Ｂ，１０Ｃ，１０Ｄを保持可能である。
【００４３】
充電装置２００は、５つの第１〜第５スロット２２１，２２１Ａ，２２２Ｂ，２２３Ｃ，２２３Ｄを備える。第１〜第５スロット２２１，２２１Ａ，２２２Ｂ，２２３Ｃ，２２３Ｄそれぞれは、表示装置１０，１０Ａ，１０Ｂ，１０Ｃ，１０Ｄの下方の一部が挿入される溝を有し、表示装置１０，１０Ａ，１０Ｂ，１０Ｃ，１０Ｄのいずれかが挿入されると、表示装置１０，１０Ａ，１０Ｂ，１０Ｃ，１０Ｄのうち納入された表示装置が倒れないように保持する。
【００４４】
第１〜第５スロット２２１，２２１Ａ，２２２Ｂ，２２３Ｃ，２２３Ｄがそれぞれ有する５つの溝は、表示装置１０，１０Ａ，１０Ｂ，１０Ｃ，１０Ｄのいずれかが挿入された状態では、表示装置１０，１０Ａ，１０Ｂ，１０Ｃ，１０Ｄの表示面の法線と垂直となる。第１〜第５スロット２２１，２２１Ａ，２２２Ｂ，２２３Ｃ，２２３Ｄがそれぞれ有する５つの溝は、互いに並行であり、第１スロット２２１，第２スロット２２１Ａ，第３スロット２２２Ｂ，第４スロット２２３Ｃ，第５スロット２２３Ｄの順に、前方向と反対方向に（手前側から奥側に向かう方向に）配列されている。このため、充電装置２００に、表示装置１０，１０Ａ，１０Ｂ，１０Ｃ，１０Ｄの２以上が挿入される場合、最も前方向側に挿入された表示装置の表示面のみをユーザーは視認できるが、それ以外の表示装置の表示面の全体を視認できない。
【００４５】
また、第１〜第５スロット２２１，２２１Ａ，２２２Ｂ，２２３Ｃ，２２３Ｄそれぞれは、表示装置１０，１０Ａ，１０Ｂ，１０Ｃ，１０Ｄのいずれかが挿入されると、表示装置１０，１０Ａ，１０Ｂ，１０Ｃ，１０Ｄのうち装着された表示装置と、電気的に接続される。図３（Ｂ）においては、第２スロット２２１Ａに表示装置１０が装着された場合を示している。第２スロット２２１Ａは、表示装置１０が倒れないように保持するとともに、表示装置１０と電気的に接続される。
【００４６】
図４は、充電装置のハードウェア構成の一例を示すブロック図である。図４を参照して、充電装置２００は、充電装置２００の全体を制御する中央演算装置（ＣＰＵ）２１１と、ＲＯＭ（Ｒｅａｄ  Ｏｎｌｙ  Ｍｅｍｏｒｙ）２１３と、ＲＡＭ（Ｒａｎｄｏｍ  Ａｃｃｅｓｓ  Ｍｅｍｏｒｙ）２１４と、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２１５と、外部記憶装置２１６と、通信インターフェース（Ｉ／Ｆ）２１７と、商用電源と接続される電源回路２１９と、第１〜第５スロット２２１，２２１Ａ，２２１Ｂ，２２１Ｃ，２２１Ｄと、を備える。
【００４７】
ＲＯＭ２１３は、ＣＰＵ２１１が実行するプログラム、またはそのプログラムを実行するために必要なデータを記憶する。ＲＡＭ２１４は、ＣＰＵ２１１がプログラムを実行する際の作業領域として用いられる。ＥＥＰＲＯＭ２１５は、プログラムまたはデータ等を不揮発的に記憶する。
【００４８】
電源回路２１９は、整流回路およびＤＣ（直流）／ＤＣコンバーターを備え、商用電源から供給される交流の電力を、直流に変換し、充電装置２００の全体に直流の電力を供給する。特に、電源回路２１９は、第１〜第５スロット２２１，２２１Ａ，２２１Ｂ，２２１Ｃ，２２１Ｄと接続されており、直流の電力を第１〜第５スロット２２１，２２１Ａ，２２１Ｂ，２２１Ｃ，２２１Ｄそれぞれに供給する。
【００４９】
通信Ｉ／Ｆ２１７は、充電装置２００をＭＦＰ１００と接続するためのインターフェースである。通信Ｉ／Ｆ２１７は、後述するＭＦＰ１００が備える通信Ｉ／Ｆ部１１２と接続可能である。通信Ｉ／Ｆ２１７がＭＦＰ１００の備える通信Ｉ／Ｆ部１１２と接続される場合、ＣＰＵ２１１は、通信Ｉ／Ｆ２１７を介して、ＭＦＰ１００と通信が可能である。なお、商用電源と接続される電源回路２１９を設けるようにしたが、電源回路２１９が、通信Ｉ／Ｆ２１７を介してＭＦＰ１００から直流の電力の供給を受けるようにしてもよい。この場合には、電源回路２１９は、整流回路を備える必要はない。
【００５０】
外部記憶装置２１６は、ＣＤ（Ｃｏｍｐａｃｔ  Ｄｉｓｋ）−ＲＯＭ２１６Ａが装着される。ＣＰＵ２１１は、外部記憶装置２１６を介してＣＤ−ＲＯＭ２１６Ａにアクセス可能である。ＣＰＵ２１１は、外部記憶装置２１６に装着されたＣＤ−ＲＯＭ２１６Ａに記録されたプログラムをＲＡＭ２１４にロードして実行する。なお、ＣＰＵ２１１が実行するプログラムは、ＣＤ−ＲＯＭ２１６Ａに記録されたプログラムに限られず、ＥＥＰＲＯＭ２１５に記憶されたプログラムをＲＡＭ２１４にロードして実行するようにしてもよい。この場合、充電装置２００に接続されるＭＦＰ１００が、ＥＥＰＲＯＭ２１５に記憶されたプログラムを書き換える、または、新たなプログラムを追加して書き込むようにしてもよい。さらに、ＭＦＰ１００が、ネットワークに接続された他のコンピューターからプログラムをダウンロードして、そのプログラムを、充電装置２００が備えるＥＥＰＲＯＭ２１６に記憶するようにしてもよい。ここでいうプログラムは、ＣＰＵ２１１が直接実行可能なプログラムだけでなく、ソースプログラム、圧縮処理されたプログラム、暗号化されたプログラム等を含む。
【００５１】
第１〜第５スロット２２１，２２１Ａ，２２１Ｂ，２２１Ｃ，２２１Ｄそれぞれは、表示装置１０，１０Ａ，１０Ｂ，１０Ｃ，１０Ｄのいずれかと電気的に接続される。第１〜第５スロット２２１，２２１Ａ，２２１Ｂ，２２１Ｃ，２２１Ｄの構成は同じなので、ここでは、第１スロット２２１が表示装置１０と電気的に接続される場合を例に説明する。第１スロット２２１は、表示装置１０と電気的に接続される場合、電源回路２１９から供給される電力を表示装置１０に供給する。また、第１スロット２２１は、表示装置１０と電気的に接続される場合、表示装置１０とＣＰＵ２１１とを電気的に接続する。これにより、ＣＰＵ２１１は、第１スロット２２１を介して表示装置１０と通信が可能となる。
【００５２】
表示装置１０，１０Ａ，１０Ｂ，１０Ｃ，１０Ｄのハードウェア構成および機能はすべて同じなので、以下の説明では、特に言及しない限り表示装置１０を例に説明する。
【００５３】
図５は、表示装置のハードウェア構成の一例を示すブロック図である。図５を参照して、表示装置１０は、表示装置１０の全体を制御する中央演算装置（ＣＰＵ）１１と、ＲＯＭ１３と、ＲＡＭ１５と、ＥＥＰＲＯＭ１７と、画像を表示する液晶表示装置（ＬＣＤ）１９と、無線ＬＡＮＩ／Ｆ２１と、ユーザーの操作を受け付ける操作部２３と、外部Ｉ／Ｆ２５と、バッテリー２７と、を含む。
【００５４】
ＲＯＭ１３は、ＣＰＵ１１が実行するプログラム、またはそのプログラムを実行するために必要なデータを記憶する。ＲＡＭ１４は、ＣＰＵ２１１がプログラムを実行する際の作業領域として用いられる。ＥＥＰＲＯＭ１７は、プログラムまたはデータ等を不揮発的に記憶する。
【００５５】
ＬＣＤ１９は、表示装置１０の上面に設けられ、ＣＰＵ１１に制御されて、画像を表示する。なお、ＬＣＤ１９に代えて、有機ＥＬＤ（Ｅｌｅｃｔｒｏ−Ｌｕｍｉｎｅｓｃｅｎｃｅ  Ｄｉｓｐｌａｙ）、電子ペーパーなどを用いるようにしてもよい。
【００５６】
操作部２３は、複数のキーと、ＬＣＤ１９の上面に設けられたタッチパネルを含む。タッチパネルは、ＬＣＤ１９の表示面中でユーザーにより指示された位置を検出する。タッチパネルは、ＬＣＤ１９の上面または下面に設けられ、ユーザーにより指示された位置の座標をＣＰＵ１１に出力する。タッチパネルは、マルチタッチスクリーンパネルであり、同時に複数の位置がユーザーにより指示される場合、ユーザーにより指示された複数の位置にそれぞれ対応する複数の座標をＣＰＵ１１に出力する。タッチパネルは、ＬＣＤ１９の表示面と同じまたはそれ以上のサイズであるのが好ましい。ＬＣＤ１９とタッチパネルとを組み合わせることにより、種々の操作を受け付けることが可能である。タッチパネルは、例えば、抵抗膜方式、表面弾性波方式、赤外線方式、電磁誘導方式、静電容量方式を用いることができ、その方式は限定されない。
【００５７】
無線ＬＡＮＩ／Ｆ２１は、無線局５と通信し、表示装置１０をネットワーク３に接続するためのインターフェースである。表示装置１０は、無線ＬＡＮＩ／Ｆ２１を介して、ＭＦＰ１００と通信することができ、データの送受信が可能である。
【００５８】
外部Ｉ／Ｆ２５は、ＣＰＵ１１により制御され、ＣＰＵ１１が外部の装置と通信するためのインターフェースである。外部Ｉ／Ｆ２５は、接続された外部の装置とシリアル通信する。
【００５９】
外部Ｉ／Ｆ２５は、表示装置１０が、充電装置２００が備える第１〜第５スロット２２１，２２１Ａ，２２１Ｂ，２２１Ｃ，２２１Ｄのいずれかに装着される場合、第１〜第５スロット２２１，２２１Ａ，２２１Ｂ，２２１Ｃ，２２１Ｄのうち装着されたものと電気的に接続される。例えば、表示装置１０が、充電装置２００が備える第１スロット２２１に装着される場合、外部Ｉ／Ｆ部２５は、第１スロット２２１と電気的に接続される。上述したように、第１スロット２２１は、充電装置２００が備える電源回路２１９と接続されて電力を供給するとともに、充電装置２００が備えるＣＰＵ２１１と接続される。このため、外部Ｉ／Ｆ部２５は、第１スロット２２１と電気的に接続される場合、第１スロット２２１から電力が供給されるとともに、充電装置２００が備えるＣＰＵ２１１と接続される。外部Ｉ／Ｆ部２５は、第１スロット２２１と電気的に接続される場合、第１スロット２２１から供給される電力をバッテリー２７に出力する。これにより、バッテリー２７が、第１スロット２２１から供給される電力を蓄積可能になる。また、外部Ｉ／Ｆ部２５が第１スロット２２１と電気的に接続されている状態において、ＣＰＵ１１は、外部Ｉ／Ｆ部２５を介して充電装置２００と通信することができる。
【００６０】
バッテリー２７は、二次電池であり、蓄積した電力を、表示装置１０の全体に供給する。また、バッテリー２７は、通信Ｉ／Ｆ２５から電力が供給される場合、通信Ｉ／Ｆ２５から供給される電力を蓄積する。
【００６１】
さらに、外部Ｉ／Ｆ２５にＣＤ−ＲＯＭドライバが接続される場合、ＣＰＵ１１は、外部Ｉ／Ｆ２５を介してＣＤ−ＲＯＭ２５Ａにアクセス可能である。このため、ＣＰＵ１１は、ＣＤ−ＲＯＭ２５Ａに記録されたプログラムをＲＡＭ１５にロードして実行することが可能である。
【００６２】
なお、ＣＰＵ１１が実行するプログラムは、ＣＤ−ＲＯＭ２５Ａに記録されたプログラムに限られず、ＥＥＰＲＯＭ１７に記憶されたプログラムをＲＡＭ１５にロードして実行するようにしてもよい。この場合、ネットワーク３に接続された他のコンピューターが、表示装置１０のＥＥＰＲＯＭ１７に記憶されたプログラムを書き換える、または、新たなプログラムを追加して書き込むようにしてもよい。さらに、表示装置１０が、ネットワーク３に接続された他のコンピューターからプログラムをダウンロードして、そのプログラムをＥＥＰＲＯＭ１７に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００６３】
図６は、ＭＦＰのハードウェア構成の一例を示すブロック図である。図６を参照して、ＭＦＰ１００は、メイン回路１１０と、原稿を読み取る原稿読取部１２３と、原稿を原稿読取部１２３に搬送する自動原稿搬送装置１２１と、原稿読取部１２３が原稿を読み取って出力する画像データに基づいて用紙等に画像を形成する画像形成部１２５と、画像形成部１２５に用紙を供給する給紙部１２７と、ユーザーインターフェースとしての操作パネル１２９とを含む。
【００６４】
メイン回路１１０は、ＣＰＵ１１１と、通信インターフェース（Ｉ／Ｆ）部１１２と、ＲＯＭ１１３と、ＲＡＭ１１４と、ＥＥＰＲＯＭ１１５と、大容量記憶装置としてのハードディスクドライブ（ＨＤＤ）１１６と、ファクシミリ部１１７と、ネットワークＩ／Ｆ１１８と、ＣＤ−ＲＯＭ１１９Ａが装着される外部記憶装置１１９と、を含む。ＣＰＵ１１１は、自動原稿搬送装置１２１、原稿読取部１２３、画像形成部１２５、給紙部１２７および操作パネル１２９と接続され、ＭＦＰ１００の全体を制御する。
【００６５】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１２３から連続的に送られてくる読取データ（画像データ）を一時的に記憶する。
【００６６】
操作パネル１２９は、ＭＦＰ１００の上面に設けられる。操作パネル１２９は、表示部１３１と操作部１３３とを含む。表示部１３１は、ＬＣＤ、有機ＥＬＤ（Ｅｌｅｃｔｒｏ−Ｌｕｍｉｎｅｓｃｅｎｃｅ  Ｄｉｓｐｌａｙ）等のディスプレイであり、ユーザーに対する指示メニューや取得した画像データに関する情報等を表示する。操作部１３３は、複数のキーを備え、キーに対応するユーザーの操作による各種の指示、文字、数字などのデータの入力を受け付ける。操作部１３３は、表示部１３１の表示面の位置を検出するタッチパネル１３５をさらに含む。タッチパネル１３５は、表示部１３１の上面または下面に設けられ、ユーザーにより指示された位置の座標をＣＰＵ１１１に出力する。
【００６７】
通信Ｉ／Ｆ部１１２は、ＭＦＰ１００を充電装置２００と接続するためのインターフェースである。通信Ｉ／Ｆ部１１２は、充電装置２００が備える通信Ｉ／Ｆ２１７と接続可能である。通信Ｉ／Ｆ部１１２が充電装置２００が備える通信Ｉ／Ｆ２１７と接続される場合、ＣＰＵ１１１は、通信Ｉ／Ｆ部１１２を介して、充電装置２００と通信が可能である。
【００６８】
ネットワークＩ／Ｆ１１８は、ＭＦＰ１００をネットワーク３に接続するためのインターフェースである。ＣＰＵ１１１は、ネットワークＩ／Ｆ１１８を介してネットワーク３に接続された無線局５を介して、当該無線局５と無線接続された表示装置１０，１０Ａ，１０Ｂ，１０Ｃ，１０Ｄとの間で通信し、データを送受信する。また、ネットワークＩ／Ｆ１１８は、ネットワーク３を介してインターネットに接続されたコンピューターと通信が可能である。
【００６９】
ファクシミリ部１１７は、公衆交換電話網（ＰＳＴＮ）に接続され、ファクシミリデータを送受信する。ファクシミリ部１１７は、原稿読取部１２３により読み取られた画像データまたはＨＤＤ１１６に記憶されたデータをファクシミリデータに変換して、ＰＳＴＮに接続されたファクシミリ装置に送信する。また、ファクシミリ部１１７は、受信されたファクシミリデータをＨＤＤ１１６に記憶するか、画像形成部１２５にファクシミリデータの画像を用紙に形成させる。
【００７０】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行する。なお、ＣＰＵ１１１が実行するプログラムは、ＣＤ−ＲＯＭ１１９Ａに記録されたプログラムに限られず、ＨＤＤ１１６に記憶されたプログラムをＲＡＭ１１４にロードして実行するようにしてもよい。この場合、ネットワークに接続された他のコンピューターが、ＭＦＰ１００のＨＤＤ１１６に記憶されたプログラムを書き換える、または、新たなプログラムを追加して書き込むようにしてもよい。さらに、ＭＦＰ１００が、ネットワークに接続された他のコンピューターからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００７１】
図７は、充電装置が備えるＣＰＵが有する機能の一例を示すブロック図である。図７に示す機能は、充電装置２００が備えるＣＰＵ２１１が、ＲＯＭ２１３、ＥＥＰＲＯＭ１１５、またはＣＤ−ＲＯＭ２１６Ａに記憶された表示装置管理プログラムを実行することにより、ＣＰＵ２１１に形成される機能である。
【００７２】
図７を参照して、ＣＰＵ２１１は、接続スロット検出部２５１と、解除スロット検出部２５３と、接続情報更新部２５５と、代表スロット決定部２５７と、表示制御部２５９と、状態情報取得部２６１と、接続情報生成部２６３と、装置ユーザー特定部２６５と、第１ユーザー装置決定部２６７と、操作検出部２６９と、第２ユーザー装置決定部２７１と、記憶制御部２７３と、設定情報取得部２７５と、処理実行制御部２７７と、消去制御部２７９と、を含む。
【００７３】
接続スロット検出部２５１は、第１〜第５スロット２２１，２２１Ａ，２２１Ｂ，２２１Ｃ，２２１Ｄのうち表示装置１０，１０Ａ，１０Ｂ，１０Ｃ，１０Ｄのいずれかと電気的に接続されるスロットを接続スロットとして検出する。例えば、第１〜第５スロット２２１，２２１Ａ，２２１Ｂ，２２１Ｃ，２２１Ｄそれぞれが備えるコネクタ端子の電圧が、表示装置１０，１０Ａ，１０Ｂ，１０Ｃ，１０Ｄのいずれかと電気的に接続されることにより、変化するように設定するようにすればよい。接続スロット検出部２５１は、第１〜第５スロット２２１，２２１Ａ，２２１Ｂ，２２１Ｃ，２２１Ｄのいずれかを接続スロットとして検出する場合、接続スロットを識別するためのスロット識別情報を、解除スロット検出部２５３、代表スロット決定部２５７、状態情報取得部２６１、および設定情報取得部２７５に出力する。
【００７４】
状態情報取得部２６１は、接続スロット検出部２５１からスロット識別情報が入力される。ここでは、第１スロット２２１に表示装置１０が電気的に接続され、第１スロット２２１のスロット識別情報が入力される場合を例に説明する。状態情報取得部２６１は、接続スロット検出部２５１から第１スロット２２１のスロット識別情報が入力されることに応じて、第１スロット２２１を介して表示装置１０と通信し、表示装置１０から、それに記憶されている状態情報とカスタマイズ情報とを取得する。状態情報は、表示装置１０の状態を示す情報であり、ここでは、表示装置１０を識別するための装置識別情報と、バッテリー２７の残容量と、ＥＥＰＲＯＭ１７に記憶されている文書に関する情報と、メンテナンス情報と、を含む。カスタマイズ情報は、表示装置１０を操作する携帯ユーザーを識別するための携帯ユーザー識別情報と、電子メールアドレス等のアドレス情報と、画面の表示項目を定める表示設定情報と、を含む。状態情報取得部２６１は、スロット識別情報と、状態情報と、カスタマイズ情報との組を、接続情報生成部２６３に出力する。
【００７５】
接続情報生成部２６３は、状態情報取得部２６１からスロット識別情報と状態情報とカスタマイズ情報との組が入力されることに応じて、スロット識別情報と状態情報とカスタマイズ情報とを含む接続情報を生成し、接続情報をＥＥＰＲＯＭ２１５に記憶するとともに、接続情報を記憶したことを示す追加信号を表示制御部２５９に出力する。
【００７６】
解除スロット検出部２５３は、接続スロット検出部２５３から接続スロットのスロット識別情報が入力される。解除スロット検出部２５３は、接続スロットがそれに接続された表示装置との電気的な接続の解除を検出する。例えば、第１〜第５スロット２２１，２２１Ａ，２２１Ｂ，２２１Ｃ，２２１Ｄそれぞれが備えるコネクタ端子の電圧が、表示装置１０，１０Ａ，１０Ｂ，１０Ｃ，１０Ｄのいずれかと電気的に接続されている状態から、電気的に接続されない状態に変化することにより、変化するように設定しておけばよい。ここでは、第１スロット２２１に表示装置１０が電気的に接続され、第１スロット２２１のスロット識別情報が入力される場合を例に説明する。解除スロット検出部２５３は、第１スロット２２１において、表示装置１０との電気的な接続の解除を検出する場合、第１スロット２２１を解除スロットとして検出する。解除スロット検出部２５３は、第１〜第５スロット２２１，２２１Ａ，２２１Ｂ，２２１Ｃ，２２１Ｄのいずれかを解除スロットとして検出する場合、解除スロットを識別するためのスロット識別情報を、接続情報更新部２５５および代表スロット決定部２５７に出力する。
【００７７】
接続情報更新部２５５は、解除スロット検出部２５３から解除スロットのスロット識別情報が入力されることに応じて、ＥＥＰＲＯＭ２１５に記憶されている接続情報を更新するとともに、接続情報を更新したことを示す更新信号を表示制御部２５９に出力する。接続情報更新部２５５に解除スロット検出部２５３から解除スロットのスロット識別情報が入力される段階では、ＥＥＰＲＯＭ１１５には、接続情報生成部２６３によって接続情報が記憶されている。接続情報更新部２５５は、解除スロット検出部２５３から解除スロットのスロット識別情報が入力されることに応じて、ＥＥＰＲＯＭ２１５に記憶されている接続情報のうち解除スロット検出部２５３から入力されるスロット識別情報を含む接続情報を消去するとともに、接続情報を消去したことを示す更新信号を表示制御部２５９に出力する。
【００７８】
代表スロット決定部２５７は、接続スロット検出部２５１から接続スロットのスロット識別情報が入力され、解除スロット検出部２５３から解除スロットのスロット識別情報が入力される。代表スロット決定部２５７は、接続スロット検出部２５１または解除スロット検出部２５３からスロット識別情報が入力されることに応じて、１以上の接続スロットのうちから１つの代表スロットを決定する。具体的には、ＥＥＰＲＯＭ２１５に接続情報生成部２６３によって記憶された接続情報を読出し、接続情報に含まれるスロット識別情報から接続スロットを特定する。なお、接続スロット検出部２５１から接続スロットのスロット識別情報が入力される場合、接続情報生成部２６３によって、そのスロット識別情報に基づいて接続情報がＥＥＰＲＯＭ２１５に記憶された後に、接続情報を読み出す。また、解除スロット検出部２５３から解除スロットのスロット識別情報が入力される場合、接続情報更新部２５５によって接続情報が更新された後に、接続情報を読み出す。この場合、ＥＥＰＲＯＭ２１５に接続情報が１つも記憶されていない場合があり、この場合には、代表スロット決定部２５７は、接続装置を特定できないので、代表スロットを決定しない。
【００７９】
代表スロット決定部２５７は、１以上の接続スロットを特定した後、第１〜第５スロット２２１，２２１Ａ，２２１Ｂ，２２１Ｃ，２２１Ｄの配列順に基づいて、１以上の接続スロットのうちから１つの代表スロットを決定する。具体的には、配列順が最も前方向側（手前側）の接続スロットを代表スロットに決定する。第１〜第５スロット２２１，２２１Ａ，２２１Ｂ，２２１Ｃ，２２１Ｄの配列順は、前方向と反対方向に第１スロット２２１，第２スロット２２１Ａ，第３スロット２２２Ｂ，第４スロット２２３Ｃ，第５スロット２２３Ｄの順である。代表スロット決定部２５７は、１以上の接続スロットのうちから決定された代表スロットのスロット識別情報を、表示制御部２５９に出力する。また、表示装置１０，１０Ａ，１０Ｂ，１０Ｃ，１０Ｄのうち、代表スロットに挿入された表示装置を、代表装置という。
【００８０】
以下の説明では、特に言及しない限り、第１スロット２２１に表示装置１０が挿入され、第２スロット２２１Ａに表示装置１０Ａが挿入される場合を例に説明する。この場合、第１スロット２２１が代表スロットに決定され、表示装置１０が代表装置である。
【００８１】
表示制御部２５９は、代表スロット決定部２５７から代表スロットのスロット識別情報が入力される場合、代表スロットに接続されている代表装置の表示を制御する。具体的には、代表スロット、ここでは、第１スロット２２１を介して、代表装置、ここでは表示装置１０の表示を制御する。
【００８２】
表示制御部２５９は、状態一覧画面生成部２８１と、接続情報表示部２８３と、を含む。状態一覧画面生成部２８１は、接続情報生成部２６３から追加信号が入力されることに応じて、または、接続情報更新部２５５から更新信号が入力されることに応じて、状態一覧画面を生成し、生成された状態一覧画面を、代表スロットを介して、代表装置に表示させる。ここでは、第１スロット２２１に接続された表示装置１０に状態一覧画面を表示させる。状態一覧画面生成部２８１は、ＥＥＰＲＯＭ２１５に記憶されている１以上の接続情報を読出し、１以上の状態情報に基づいて、１以上の接続スロットにそれぞれ接続されている１以上の表示装置ごとに、当該表示装置に関連付けられた状態情報を含む状態一覧画面を生成する。
【００８３】
図８は、状態一覧画面の一例を示す図である。ここでは、第１〜第５スロット２２１，２２１Ａ，２２１Ｂ，２２１Ｃ，２２１Ｄそれぞれに、表示装置１０，１０Ａ，１０Ｂ，１０Ｃ，１０Ｄが挿入された場合に表示される状態一覧画面を示している。図８を参照して、状態一覧画面３００は、第１〜第５スロット２２１，２２１Ａ，２２１Ｂ，２２１Ｃ，２２１Ｄごとの状態レコードを含む。状態レコードは、スロット識別情報の項目と、使用可否の項目と、装置識別情報の項目と、電池状態の項目と、文書情報の項目と、ジョブ状況の項目と、メンテナンス情報の項目と、を含む。ここでは、第１〜第５スロット２２１，２２１Ａ，２２１Ｂ，２２１Ｃ，２２１Ｄのスロット識別情報を、それぞれ「第１スロット」、「第２スロット」、「第３スロット」、「第５スロット」としている。使用可否の項目は、表示装置を使用可能な状態か否かを示し、使用可能な状態の場合に「可」が設定され、使用不可能な状態の場合に「不可」が設定される。装置識別情報の項目は、電気的に接続された表示装置の装置識別情報が設定される。ここでは、表示装置１０，１０Ａ，１０Ｂ，１０Ｃ，１０Ｄの装置識別情報を、それぞれ「装置Ａ」、「装置Ｂ」、「装置Ｃ」、「装置Ｄ」、「装置Ｅ」としている。
【００８４】
電池の状態の項目は、表示装置が備えるバッテリー２７の蓄電容量の程度を示す。蓄電容量が第１の値以上の場合に「高」に設定され、第１の値より小さく第１の値より小さい第２の値以上の場合に「中」に設定され、第２の値より小さい場合に「なし」に設定される。文書情報の項目は、表示装置に記憶されているデータの有無を示す。データが記憶されている場合「文書あり」に設定され、データが記憶されていない場合に「文書なし」が設定される。ジョブ状況の項目は、表示装置に対する処理の内容を示す。表示装置に対して電力を供給している充電中の状態の場合に「充電中」が設定され、表示装置に対してデータを送信して記憶させる処理を実行中の状態の場合に「書込み中」が設定され、表示装置に対して処理を実行していない場合に「待機中」が設定される。メンテナンス情報の項目は、表示装置が更新するプログラムが存在するか否かを示し、更新するプログラムが存在する場合に「あり」が設定され、更新するプログラムが存在しない場合に「なし」が設定される。
【００８５】
図７に戻って、装置ユーザー特定部２６５は、ＭＦＰ１００を操作するユーザーが、ＭＦＰ１００によって認証される場合、装置ユーザーを特定する。後述するように、ＭＦＰ１００は、ユーザーの認証に成功する場合、認証したユーザーを識別するための装置ユーザー識別情報を、充電装置２００に送信する。装置ユーザー特定部２６５は、通信Ｉ／Ｆ２１７が、ＭＦＰ１００から装置ユーザー識別情報を受信する場合、受信された装置ユーザー識別情報を、ＭＦＰ１００を操作する装置ユーザーとして特定する。装置ユーザー特定部２６５は、特定された装置ユーザーの装置ユーザー識別情報を第１ユーザー装置決定部２６７および記憶制御部２７３に出力する。
【００８６】
第１ユーザー装置決定部２６７は、装置ユーザー識別情報が入力されることに応じて、第１ユーザー装置を決定する。第１ユーザー装置は、接続スロット検出部２５１により検出された接続スロットと電気的に接続された表示装置のうち、装置ユーザー識別情報と同じ携帯ユーザー識別情報を記憶する表示装置である。具体的には、第１ユーザー装置決定部２６７は、装置ユーザー識別情報が入力されることに応じて、ＥＥＰＲＯＭ２１５に記憶されている接続情報を検索し、装置ユーザー識別情報と同じ携帯ユーザー識別情報を含む接続情報を抽出する。そのような接続情報を抽出する場合、抽出された接続情報に含まれる装置識別情報で特定される表示装置を第１ユーザー装置に決定し、第１ユーザー装置の装置識別情報を、表示制御部２５９および消去制御部２７９に出力する。第１ユーザー装置決定部２６７は、装置ユーザー識別情報と同じ携帯ユーザー識別情報を含む接続情報を抽出しない場合、第１ユーザー装置を決定することなく、接続装置のうちに第１ユーザー装置が存在しないことを示す信号を、記憶制御部２７３および消去制御部２７９に出力する。
【００８７】
以下、ＭＦＰ１００に表示装置１０Ａに携帯ユーザー識別情報「ユーザーＢ」が記憶されたユーザーＢが、ログインする場合を例に説明する。この場合、表示装置１０Ａが第１ユーザー装置に決定され、表示装置１０Ａの装置識別情報「装置Ｂ」が表示制御部２５９および消去制御部２７９に出力される。
【００８８】
表示制御部２５９に含まれる接続情報表示部２８３は、第１ユーザー装置決定部２６７から第１ユーザー装置の装置識別情報が入力されることに応じて、第１ユーザー装置から取得された状態情報を、代表スロットを介して、代表装置に表示させる。具体的には、第１ユーザー装置の装置識別情報「装置Ｂ」を含む接続情報をＥＥＰＲＯＭ２１６から読出し、読み出された接続情報を、代表スロットである第１スロット２２１を介して、代表装置である表示装置１０に表示させる。これにより、表示装置１０Ａを操作していたユーザーＢは、ＭＦＰ１００に携帯ユーザー識別情報「ユーザーＢ」と同じ装置ユーザー識別情報でログインすれば、表示装置１０Ａの状態情報が、代表装置である表示装置１０に表示される。このため、ユーザーＢは、表示装置１０Ａの状態を、確認することができる。
【００８９】
操作検出部２６９は、ＭＦＰ１００を操作するユーザーが、ＭＦＰ１００が備える操作部１３３に入力する操作を検出する。後述するように、ＭＦＰ１００は、操作部１３３に操作が入力されることに応じて、入力された操作を識別するための操作識別情報を、充電装置２００に送信する。操作検出部２６９は、通信Ｉ／Ｆ２１７が、ＭＦＰ１００から操作識別情報を受信する場合、受信された操作識別を検出する。操作検出部２６９は、検出された操作識別情報を第２ユーザー装置決定部２７１に出力する。
【００９０】
また、操作検出部２６９は、ＭＦＰ１００を操作するユーザーが、代表装置である表示装置１０に入力する操作を検出する。後述するように、表示装置１０は、操作部２３に操作が入力されることに応じて、入力された操作を識別するための操作識別情報を、充電装置２００に送信する。操作検出部２６９は、第１スロット２２１が、代表装置である表示装置１０から操作識別情報を受信する場合、受信された操作識別を検出する。操作検出部２６９は、検出された操作識別情報を第２ユーザー装置決定部２７１に出力する。
【００９１】
第２ユーザー装置決定部２７１は、操作検出部２６９から入力される操作識別情報が、接続装置のうちから１つを選択する操作を特定する場合、その操作により選択された接続装置を第２ユーザー装置に決定し、第２ユーザー装置の装置識別情報を、記憶制御部２７３および消去制御部２７９に出力する。ここでは、表示装置１０Ａに携帯ユーザー識別情報「ユーザーＢ」が記憶されたユーザーＢが、ＭＦＰ１００にログインした後、第１スロット２２１に装着された表示装置１０を選択する操作を、ＭＦＰ１００に入力する場合を例に説明する。この場合、表示装置１０が第２ユーザー装置に決定され、表示装置１０の装置識別情報「装置Ａ」が記憶制御部２７３および消去制御部２７９に出力される。
【００９２】
記憶制御部２７３は、第１ユーザー装置決定部２６７から第１ユーザー装置の装置識別情報、または第１ユーザー装置が存在しないことを示す信号のいずれかが入力され、第２ユーザー装置決定部２７１から第２ユーザー装置の装置識別情報が入力される。
【００９３】
＜第１ユーザー装置が存在する場合＞
第１ユーザー装置として表示装置１０Ａが決定されており、第２ユーザー装置として表示装置１０が決定されている場合を例に説明する。記憶制御部２７３は、第１ユーザー装置決定部２６７から第１ユーザー装置の装置識別情報「装置Ｂ」が入力され、第２ユーザー装置決定部２７１から第２ユーザー装置の装置識別情報「装置Ａ」が入力される。記憶制御部２７３は、第１ユーザー装置である表示装置１０Ａに記憶されている携帯ユーザー識別情報「ユーザーＢ」を含むカスタマイズ情報を、第２ユーザー装置である表示装置１０に記憶させる。具体的には、第１ユーザー装置である表示装置１０Ａの装置識別情報「装置Ｂ」を含む接続情報を、ＥＥＰＲＯＭ２１５から読み出し、読み出した接続情報に含まれるカスタマイズ情報とを特定する。そして、第２ユーザー装置である表示装置１０の装置識別情報「装置Ａ」を含む接続情報を、ＥＥＰＲＯＭ２１５から読み出し、読み出した接続情報に含まれるスロット識別情報「第１スロット」に基づいて第１スロット２２１を特定する。そして、第１スロット２２１を介して第１スロット２２１と電気的に接続された第２ユーザー装置である表示装置１０に、携帯ユーザー識別情報「ユーザーＢ」を含むカスタマイズ情報を送信し、表示装置１０に記憶させる。
【００９４】
このため、携帯ユーザー識別情報「ユーザーＢ」のユーザーは、表示装置１０を使用する場合に、以前に使用していた表示装置１０Ａに記憶されていたカスタマイズ情報を使用することができるので、以前に表示装置１０Ａを使用していた環境と同じ環境で、表示装置１０を使用することができる。
【００９５】
記憶制御部２７３は、第１スロット２２１を介して表示装置１０に、装置ユーザー識別情報「ユーザーＢ」を含むカスタマイズ情報を送信し、表示装置１０に記憶させている間、記憶中であることを示す書込み信号を、表示制御部２５９に出力する。書き込み信号は、第２ユーザー装置である表示装置１０の装置識別情報を含む。
【００９６】
表示制御部２５９は、記憶制御部２７３から書き込み信号が入力されている間、書き込み信号に含まれる装置識別情報のジョブ状況を、「書込み中」に変更する。具体的には、状態一覧画面のジョブ状況の項目を「書込み中」に変更する。これにより、代表装置である表示装置１０に表示されている状態一覧画面において、第２ユーザー装置である表示装置１０が通信中で使用できないことをユーザーに通知することができる。また、表示制御部２５９は、代表装置に、書込み信号に含まれる第２ユーザー装置である表示装置１０の装置識別情報に対応する状態情報を表示している場合には、状態情報に代えて、書込み中であることを示す書込み中画面を、代表装置である表示装置１０に表示させる。図９に、書込み中画面の一例を示す。
【００９７】
消去制御部２７９は、第１ユーザー装置決定部２６７から第１ユーザー装置の装置識別情報が入力され、第２ユーザー装置決定部２７１から第２ユーザー装置の装置識別情報が入力される。消去制御部２７９は、第１ユーザー装置の装置識別情報が入力され、かつ、第２ユーザー装置の装置識別情報が入力される場合、第１ユーザー装置に、それに記憶されている携帯ユーザー識別情報を含むカスタマイズ情報を消去させる。具体的には、消去制御部２７９は、第１ユーザー装置の装置識別情報「装置Ｂ」が入力され、かつ、第２ユーザー装置の装置識別情報「装置Ａ」が入力される場合、第１ユーザー装置である表示装置１０Ａの装置識別情報「装置Ｂ」を含む接続情報を、ＥＥＰＲＯＭ２１５から読み出し、読み出した接続情報に含まれるスロット識別情報「第２スロット」に基づいて第２スロット２２１Ａを特定する。そして、第２スロット２２１Ａを介して第２スロット２２１Ａと電気的に接続された第１ユーザー装置である表示装置１０Ａに、携帯ユーザー識別情報「ユーザーＢ」を含むカスタマイズ情報を消去する指令を送信し、表示装置１０Ａにそれらを消去させる。これにより、表示装置１０Ａに携帯ユーザー識別情報「ユーザーＢ」のカスタマイズ情報が記憶されていないので、携帯ユーザー識別情報「ユーザーＢ」のアドレス情報が、次に表示装置１０Ａを使用するユーザーに知られるのを防止することができる。
【００９８】
＜第１ユーザー装置が存在しない場合＞
ＭＦＰ１００により装置ユーザー識別情報「ユーザーＢ」のユーザーが認証されており、第１ユーザー装置が決定されておらず、ＭＦＰ１００に認証されたユーザーによって第２ユーザー装置として表示装置１０が選択されている場合を例に説明する。記憶制御部２７３は、装置ユーザー特定部２６５から装置ユーザー識別情報「ユーザーＢ」が入力され、第１ユーザー装置決定部２６７から第１ユーザー装置が存在しないことを示す信号が入力され、第２ユーザー装置決定部２７１から第２ユーザー装置の装置識別情報「装置Ａ」が入力される。記憶制御部２７３は、装置ユーザー特定部２６５から入力される装置ユーザー識別情報「ユーザーＢ」を、携帯ユーザー識別情報として、第２ユーザー装置である表示装置１０に記憶させる。また、ＭＦＰ１００に、携帯ユーザー識別情報「ユーザーＢ」と関連付けられたカスタマイズ情報が記憶されている場合には、ＭＦＰ１００からそのカスタマイズ情報を取得する。そして、第２ユーザー装置である表示装置１０の装置識別情報「装置Ａ」を含む接続情報を、ＥＥＰＲＯＭ２１５から読み出し、読み出した接続情報に含まれるスロット識別情報「第１スロット」に基づいて第１スロット２２１を特定する。そして、第１スロット２２１を介して第１スロット２２１と電気的に接続された第２ユーザー装置である表示装置１０に、携帯ユーザー識別情報「ユーザーＢ」と、ＭＦＰ１００から取得されたカスタマイズ情報とを送信し、表示装置１０に記憶させる。
【００９９】
消去制御部２７９は、第１ユーザー装置決定部２６７から第１ユーザー装置が存在しないことを示す信号が入力される。消去制御部２７９は、第１ユーザー装置が存在しないことを示す信号が入力される場合、処理を何も実行しない。
【０１００】
設定情報取得部２７５および処理実行制御部２７７については後述する。
【０１０１】
図１０は、表示装置が備えるＣＰＵの機能の一例をＥＥＰＲＯＭに記憶される情報とともに示すブロック図である。図１０に示す機能は、表示装置１０が備えるＣＰＵ１１が、ＲＯＭ１３、ＥＥＰＲＯＭ１７、またはＣＤ−ＲＯＭ２５Ａに記憶された充電時制御プログラムを実行することにより、ＣＰＵ１１に形成される機能である。図１０を参照して、ＣＰＵ１１は、接続検出部５１と、情報送信部５３と、出力設定部５５と、設定情報出力部５７と、消去指示受信部５９と、消去部６１と、を含む。
【０１０２】
接続検出部５１は、充電装置２００と電気的に接続されたことを検出する。具体的には、外部Ｉ／Ｆ２５が備える所定のコネクタ端子の電圧が、充電装置２００の第１〜第５スロット２２１，２２１Ａ，２２１Ｂ，２２１Ｃ，２２１Ｄのいずれかと電気的に接続されることにより、変化するように設定するようにすればよい。特に、外部Ｉ／Ｆ２５が充電装置２００と接続されると充電装置２００から電力が供給されるので、電力が供給されるコネクタの電圧を検出すればよい。接続検出部５１は、充電装置２００と電気的に接続されたことを検出することに応じて、充電装置２００と接続されたことを示す接続信号を情報送信部５３および設定情報出力部５７に出力する。
【０１０３】
ＥＥＰＲＯＭ１７には、状態情報７１と、カスタマイズ情報７３とを記憶する。状態情報７１は、表示装置１０の状態を示す情報である。具体的には、表示装置１０を識別するための装置識別情報と、バッテリー２７の残容量と、ＥＥＰＲＯＭ１７に記憶されている文書に関する情報（ファイル名）と、メンテナンス情報と、を含む。カスタマイズ情報７３は、表示装置１０を操作するユーザーとして登録された携帯ユーザーを識別するための携帯ユーザー識別情報と、電子メールアドレス等のアドレス情報と、画面の表示項目を定める表示設定情報と、を含む。
【０１０４】
消去指示受信部５９は、外部Ｉ／Ｆ２５を制御して、充電装置２００と通信し、充電装置２００が送信する消去指示を受信する。消去指示受信部５９は、消去指示を受信すると、消去部６１に消去指令を出力する。消去部６１は、消去指令が入力されると、ＥＥＰＲＯＭ１７に記憶されているカスタマイズ情報７３を消去する。これにより、表示装置１０が初期化される。
【０１０５】
情報送信部５３は、接続信号が入力された後に、外部Ｉ／Ｆ２５を制御して、充電装置２００と通信し、充電装置２００からの要求に応じて、ＥＥＰＲＯＭ１７に記憶された状態情報７１と、カスタマイズ情報７３と、を充電装置２００に送信する。
【０１０６】
出力設定部５５は、表示装置１０が充電装置２００に装着される前の段階で、出力処理の対象となるデータと、そのデータに対する設定情報とを設定する。具体的には、データ指定画面および携帯側出力設定画面をＬＣＤ１９に表示し、表示装置１０を操作する携帯ユーザーが操作部２３に入力するデータを指定する操作と、設定情報を入力する操作とを受け付ける。出力設定部５５は、受け付けられた操作により特定される処理対象データと設定情報とを設定情報出力部５７に出力する。
【０１０７】
処理対象となるデータは、ＥＥＰＲＯＭ１７に記憶されているデータである。設定情報は、処理対象データに対する実行する処理に関する情報であり、処理方法を定める種別と、その種別の処理方法でデータを処理するための設定値と、を含む。種別は、データの画像を形成する画像形成種別、データを記憶するデータ記憶種別、データを送信するデータ送信種別と、を含む。種別が画像形成種別に対応する設定値は、例えば、プリント枚数、用紙サイズ、カラー／モノクロの別等を含む。種別がデータ記憶種別に対応する設定値は、例えば、記憶する位置、圧縮の方法、ファイル形式を含む。種別がデータ送信種別に対応する設定値は、送信プロトコル、送信先のアドレスを含む。
【０１０８】
設定情報出力部５７は、接続信号が入力された後に、外部Ｉ／Ｆ２５を制御して、充電装置２００と通信し、充電装置２００からの要求に応じて、出力情報を充電装置２００に送信する。出力情報は、出力設定部５５から処理対象データと設定情報とが入力される場合は処理対象データと設定情報とを含み、出力設定部５５から処理対象データのみが入力される場合は、処理対象データを含み、設定情報を含まない。
【０１０９】
図１１は、携帯側出力設定画面の一例を示す図である。図１１を参照して、携帯側出力設定画面３０１は、処理条件の種別を指定するためのボタン３０３、３０４，３０５を含む。「印刷」の文字が表されたボタン３０３は、データの画像を形成する画像形成の種別が割り当てられる。「ボックス保存」の文字が表されたボタン３０４は、データを記憶するデータ記憶の種別が割り当てられる。「配信」の文字が表されたボタン３０５は、データを送信するデータ送信の種別が割り当てられる。「詳細設定」文字が表されたボタン３０６は、ボタン３０３、３０４，３０５のいずれかが指示された状態で指示されると、ボタン３０３、３０４，３０５のうちで指示されているものに割り当てられた種別に対応する設定値を設定するための設定値設定画面が表示される。
【０１１０】
ここで、図７に戻って、設定情報取得部２７５は、接続スロット検出部２５１からスロット識別情報が入力される。ここでは、第１スロット２２１に表示装置１０が電気的に接続され、第１スロット２２１のスロット識別情報が入力される場合を例に説明する。設定情報取得部２７５は、接続スロット検出部２５１から第１スロット２２１のスロット識別情報が入力されることに応じて、第１スロット２２１を介して表示装置１０と通信し、表示装置１０から、出力情報を取得する。出力情報は、データと設定情報との組を含むものと、データを含むが設定情報を含まないものとがある。
【０１１１】
設定情報取得部２７５は、出力情報を取得する場合であって、出力情報が設定情報とデータとの組を含む場合、設定情報とデータとの組を処理実行制御部２７７に出力する。設定情報取得部２７５は、出力情報を取得する場合であって、出力情報がデータを含むが設定情報を含まない場合、データを処理実行制御部２７７に出力する。さらに、設定情報取得部２７５は、出力情報を取得しない場合、処理実行制御部２７７に何も出力しない。
【０１１２】
処理実行制御部２７７は、設定情報取得部２７５から設定情報とデータとの組が入力される場合、または、データが入力される場合、処理実行指示を生成し、生成された処理実行指示を、通信Ｉ／Ｆ２１７を介してＭＦＰ１００に送信する。処理実行制御部２７７は、設定情報とデータとの組が入力される場合、設定情報とデータとの組を含む処理実行指示を生成する。処理実行制御部２７７は、データが入力されるが設定情報が入力されない場合、設定要求とデータとを含む処理実行指示を生成する。設定要求は、設定情報の設定を要求するコマンドである。
【０１１３】
図１２は、ＭＦＰが備えるＣＰＵの機能の一例を示すブロック図である。図１２に示す機能は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶された充電装置連携プログラムを実行することにより、ＣＰＵ１１１に形成される機能である。図１２を参照して、ＣＰＵ１１１は、ＭＦＰ１００を操作するユーザーによる操作を受け付ける操作受付部１５１と、ユーザーを認証する認証部１５３と、装置ユーザー識別情報送信部１５５と、操作送信部１５７と、処理実行指示受信部１５９と、設定部１３１と、処理実行部１６３と、を含む。
【０１１４】
操作受付部１５１は、ＭＦＰ１００を操作するユーザーが操作部１３３に入力する操作を受け付ける。操作受付部１５１は、操作部１３３に入力される操作を、認証部１５３および操作送信部１５７に出力する。操作は、操作部１３３が備えるハードキーの識別情報またはタッチパネル１３５によって検出される表示部１３１の表示面中の位置を示す位置情報を含む。
【０１１５】
操作送信部１５７は、操作受付部１５１から操作が入力されることに応じて、その操作を識別するための操作識別情報を、通信Ｉ／Ｆ部１１２を介して充電装置２００に送信する。操作識別情報は、表示部１３１に表示されている画面によって定まる。例えば、画面がボタンを含む場合に、操作が画面中のボタンの位置を示す位置情報の場合には、そのボタンに関連付けられた操作が特定され、特定された操作に対応する操作識別情報が定まる。
【０１１６】
認証部１５３は、操作受付部１５１から入力される操作に基づいて、ユーザーを認証する。具体的には、認証部１５３は、表示部１３１にログイン画面を表示し、ログイン画面に従ってユーザーが操作部１３３に入力する認証情報を受け付ける。認証情報は、ユーザーを識別するための装置ユーザー識別情報と、パスワードとを含む。ＥＥＰＲＯＭ１１５にＭＦＰ１００の使用が予め許可されたユーザーの認証情報を記憶しておき、ユーザーが操作部１３３に入力した認証情報置と同じ認証情報がＥＥＰＲＯＭ１１５に記憶されていれば認証し、ログインを許可するが、記憶されていなければ認証することなく、ログインを許可しない。認証部１５３は、ユーザーを認証する場合、装置ユーザー識別情報送信部１５５に認証したユーザーの装置ユーザー識別情報を出力する。
【０１１７】
装置ユーザー識別情報送信部１５５は、装置ユーザー識別情報が入力されることに応じて、その装置ユーザー識別情報を、通信Ｉ／Ｆ部１１２を介して充電装置２００に送信する。
【０１１８】
処理実行指示受信部１５９は、通信Ｉ／Ｆ部１１２を制御して、充電装置２００が送信する処理実行指示を受信する。処理実行指示は、設定情報とデータとの組を含むものと、設定要求とデータとを含むものとがある。処理実行指示受信部１５９は、処理実行指示が、設定情報とデータとの組を含む場合、設定情報とデータとの組を処理実行部１６３に出力する。処理実行指示受信部１５９は、処理実行指示が、設定要求とデータとを含む場合、設定指令を設定部１３１に出力するとともに、データを処理実行部１６３に出力する。
【０１１９】
設定部１３１は、処理実行指示受信部１５９から設定指令が入力される場合、ＭＦＰ側出力設定画面をＬＣＤ１９に表示し、ＭＦＰ１００を操作する装置ユーザーが操作部１３３に入力する設定情報を入力する操作を受け付ける。設定部１３１は、操作部１３３に入力された設定情報を、処理実行部１６３に出力する。
【０１２０】
処理実行部１６３は、処理実行指示受信部１５９から設定情報とデータとの組が入力される場合、設定情報に従ってデータを処理する。また、処理実行部１６３は、処理実行指示受信部１５９からデータが入力された後、設定部１３１から設定情報が入力されると、設定情報に従ってデータを処理する。処理実行部１６３は、画像形成制御部１７１と、データ記憶部１７３と、データ送信部１７５と、を含む。
【０１２１】
画像形成制御部１７１は、処理条件の種別が画像形成の場合、画像形成部１２５を制御して、設定値に従ってデータの画像を形成する。データ記憶部１７３は、処理条件の種別がデータ記憶の場合、設定値に従ってデータをＨＤＤ１１６に記憶する。画像形成制御部１７１は、処理条件の種別がデータ送信の場合、ネットワークＩ／Ｆ１１８を制御して、設定値に従ってデータを送信する。
【０１２２】
図１３は、出力設定画面の一例を示す図である。図１３を参照して、出力設定画面３１１は、処理条件の種別を指定するためのボタン３１３、３１４，３１５を含む。「印刷」の文字が表されたボタン３１３は、データの画像を形成する画像形成の種別が割り当てられる。「送信」の文字が表されたボタン３１４は、データを送信するデータ送信の種別が割り当てられる。「ボックス」の文字が表されたボタン３１５は、データを記憶するデータ記憶の種別が割り当てられる。ボタン３１３、３１４，３１５のいずれかが指示された状態で指示されると、ボタン３１３、３１４，３１５のうちで指示されているものに割り当てられた種別に対応する設定値を設定するための種別設定画面が表示される。図１３においては、ボタン３１４が指示され、種別設定画面３１４Ａが表示されている場合を例に示している。
【０１２３】
図１４は、表示装置管理処理の流れの一例を示すフローチャートである。表示装置管理処理は、充電装置２００が備えるＣＰＵ２１１が、ＲＯＭ２１３、ＥＥＰＲＯＭ１１５、またはＣＤ−ＲＯＭ２１６Ａに記憶された表示装置管理プログラムを実行することにより、ＣＰＵ２１１により実行される処理である。図１４を参照して、表示装置が装着されたか否かを判断する（ステップＳ２０１）。第１〜第５スロット２２１，２２１Ａ，２２１Ｂ，２２１Ｃ，２２１Ｄのいずれかが、表示装置１０，１０Ａ，１０Ｂ，１０Ｃ，１０Ｄのいずれかと電気的に接続されると、表示装置が装着されたと判断する。ここでは、第１〜第５スロット２２１，２２１Ａ，２２１Ｂ，２２１Ｃ，２２１Ｄそれぞれが備える所定のコネクタ端子の電圧の変化を検出することによって、表示装置１０，１０Ａ，１０Ｂ，１０Ｃ，１０Ｄのいずれかとの電気的な接続を検出する。表示装置が装着されたと判断する場合、処理をステップＳ２０２に進めるが、そうでなければ処理をステップＳ２０８に進める。
【０１２４】
ステップＳ２０２においては、接続スロットを特定する。第１〜第５スロット２２１，２２１Ａ，２２１Ｂ，２２１Ｃ，２２１Ｄのうちで、表示装置１０，１０Ａ，１０Ｂ，１０Ｃ，１０Ｄのいずれかと電気的に接続されたスロットを接続スロットに特定する。第１〜第５スロット２２１，２２１Ａ，２２１Ｂ，２２１Ｃ，２２１Ｄのうちで、所定のコネクタ端子の電圧が変化するスロットを接続スロットに特定する。ここでは、第１スロット２２１に表示装置１０が挿入され、第１スロット２２１が備えるコネクタ端子の電圧が変化する場合を例に説明する。この場合、第１スロット２２１を接続スロットに特定する。次のステップＳ２０３においては、状態情報を取得する。ステップＳ２０２において特定された接続スロットと電気的に接続された装置から、その装置に記憶されている状態情報とカスタマイズ情報とを取得する。ここでは、第１スロット２２１を介して、第１スロット２２１と電気的に接続された表示装置１０に送信要求を送信し、表示装置１０から、表示装置１０に記憶されている状態情報とカスタマイズ情報とを取得する。状態情報は、表示装置１０の装置識別情報を含むので、この段階において、充電装置２００は、第１スロット２２１に表示装置１０が挿入されたことを検出する。
【０１２５】
次のステップＳ２０４においては、接続情報を生成し、ＥＥＰＲＯＭ２１５に記憶する。接続情報は、ステップＳ２０２において接続スロットに特定された第１スロット２２１のスロット識別情報と、ステップＳ２０３で取得された状態情報とカスタマイズ情報とを含む。そして、ステップＳ２０５においては、状態一覧画面を生成する。ＥＥＰＲＯＭ２１５に記憶されているすべての接続情報を用いて、図８に示した状態一覧画面を生成する。
【０１２６】
ステップＳ２０６においては、代表スロットを決定する。ステップＳ２０１が複数回実行されて、複数の表示装置の装着が検出される場合、第１〜第５スロット２２１，２２１Ａ，２２１Ｂ，２２１Ｃ，２２１Ｄのうちの複数が、それぞれ表示装置が挿入された状態となる。ここでは、第１スロット２２１に表示装置１０が挿入され、第２スロット２２１Ａに表示装置１０Ａが挿入され、第３〜第５スロット２２１Ｂ〜２２１Ｄには何も挿入されていない場合を例に説明する。この場合、ステップＳ２０２において、第１スロット２２１および第２スロット２２１Ａが接続スロットに特定される。代表スロットは、接続スロットであって、配列順が最も手前（前方向側）の接続スロットである。接続スロットである第１スロット２２１は、他の接続スロットである第２スロット２２１Ａよりも配列順が手前なので、第１スロット２２１が代表スロットに決定される。
【０１２７】
次のステップＳ２０７においては、代表装置に状態一覧画面を表示する。代表装置は、ステップＳ２０６において代表スロットに決定された第１スロットと電気的に接続されている表示装置１０である。第１スロット２２１を介して、代表装置である表示装置１０に、ステップＳ２０５において生成された状態一覧画面を送信し、表示装置１０に状態一覧画面を表示させる。次のステップＳ２０８においては、ＭＦＰ連携処理を実行し、処理をステップＳ２０９に進める。ＭＦＰ連携処理の詳細は、後述する。
【０１２８】
ステップＳ２０９においては、表示装置の接続が解除されたか否かを判断する。具体的には、ステップＳ２０２において特定された接続スロットのいずれかで表示装置と電気的な接続が解除されたか否かを判断する。ここでは、第１スロット２２１および第２スロット２２１Ａが接続スロットに特定されているので、第１スロット２２１および第２スロット２２１Ａのいずれかにおいて、それぞれが備えるコネクタ端子の電圧が、電気的に接続されている場合の電圧から、電気的に接続されない場合の電圧に変化するならば、そのスロットにおいて表示装置の接続が解除されたと判断する。そして、表示装置の接続が解除されたスロットを特定し、処理をステップＳ２１１に進める。
【０１２９】
ステップＳ２１１においては、接続情報を消去する。ＥＥＰＲＯＭ２１５に記憶されている接続情報のうち、ステップＳ２１０において特定されたスロットのスロット識別情報を含む接続情報をＥＥＰＲＯＭ２１５から消去する。そして、ステップＳ２０５と同様に状態一覧画面を生成する（ステップＳ２１２）。
【０１３０】
次のステップＳ２１３においては、ステップＳ２０９において接続の解除が検出された表示装置が、代表装置か否かを判断する。ステップＳ２０９において接続の解除が検出された表示装置が代表装置ならば処理をステップＳ２１４に進めるが、そうでなければ処理をステップＳ２１６に進める。代表装置は、ステップＳ２０６において特定される場合と、次に説明するステップＳ２１４において特定される場合とがある。
【０１３１】
ここで、第１スロット２２１に表示装置１０が挿入されており、第２スロット２２１Ａに表示装置１０Ａが接続されている状態を、第１の状態とする。第１の状態においては、第１スロット２２１が代表スロットに、表示装置１０が代表装置に、それぞれ決定されている。第１の状態から表示装置１０が第１スロット２２１から抜き取られた後の状態を、第２の状態という。第１の状態から第２の状態に遷移すると、第１スロット２２１において表示装置１０との接続が解除されたことがステップＳ２０９において検出される。第２の状態においては、ＣＰＵ２１１は、ステップＳ２１３において、接続が解除された表示装置１０が代表装置と判断し、処理をステップＳ２１４に進める。また、第１の状態から表示装置１０Ａが第２スロット２２１Ａから抜き取られた後の状態を、第３の状態という。第１の状態から第３の状態に遷移すると、ＣＰＵ２１１は、ステップＳ２０９において第２スロット２２１Ａにおいて表示装置１０Ａとの接続が解除されたことを検出する。第３の状態においては、ＣＰＵ１１１は、ステップＳ２１３において、接続が解除された表示装置１０Ａが代表装置でない判断し、処理をステップＳ２１６に進める。
【０１３２】
ステップＳ２１４においては、代表装置を再決定する。決定する処理は、ステップＳ２０６と同様である。第２の状態においては、第２スロット２２１Ａに表示装置１０Ａが挿入されており、第１スロット２２１および第３〜第５スロット２２１Ｂ，２２１Ｃ，２２１Ｄには何も挿入されていない。この場合は、第２スロット２２１Ａを代表スロットに決定する。
【０１３３】
次のステップＳ２１５においては、ステップＳ２０７と同様に、代表装置に状態一覧画面を表示する。第２の状態において、ステップＳ２１４が実行されると、代表装置は、ステップＳ２１４において代表スロットに決定された第２スロット２２１Ａと電気的に接続されている表示装置１０Ａである。このため、第２スロット２２１Ａを介して、代表装置である表示装置１０Ａに、ステップＳ２１２において生成された状態一覧画面を送信し、表示装置１０Ａに状態一覧画面を表示させる。
【０１３４】
ステップＳ２１６においては、出力情報を受信したか否かを判断する。接続スロットを介して、接続スロットに接続されている表示装置に出力情報の送信を要求し、要求に応じて出力情報を受信したか否かを判断する。第１スロット２２１に表示装置１０が挿入されており、第２スロット２２１Ａに表示装置１０Ａが接続されている第１の状態においては、第１スロット２２１を介して表示装置１０から出力情報が受信される場合、または、第２スロット２２１Ａを介して表示装置１０Ａから出力情報が受信される場合、出力情報を受信したと判断する。出力情報を受信したならば処理をステップＳ２１７に進めるが、そうでなければ処理をステップＳ２０１に戻す。出力情報は、設定情報とデータとを含む。
【０１３５】
ステップＳ２１７においては、ステップＳ２１６において受信された出力情報に含まれる設定情報の種別によって処理を分岐させる。種別が画像形成を示すならば処理をステップＳ２１８に進め、種別がデータ送信ならば処理をステップＳ２１９に進め、出力情報が設定情報を含まず、種別を特定できない場合は、処理をステップＳ２２１に進める。
【０１３６】
ステップＳ２１８においては、データとプリント指示とをＭＦＰ１００に通信Ｉ／Ｆ２１７を介して送信し、処理をステップＳ２０１に戻す。これにより、例えば、表示装置１０を操作する携帯ユーザーは、表示装置１０を充電装置２００に装着する前の段階で、表示装置１０にデータの指定と、そのデータを画像形成する設定値とを設定した後で、表示装置１０を充電装置２００に装着すれば、表示装置１０で指定したデータの画像がＭＦＰ１００によって形成される。このため、ＭＦＰ１００においてデータの画像を形成する設定値を設定する操作をする必要がなく、その操作を表示装置１０ですることができる。
【０１３７】
ステップＳ２１９においては、データとデータ送信指示とをＭＦＰ１００に通信Ｉ／Ｆ２１７を介して送信し、処理をステップＳ２０１に戻す。これにより、例えば、表示装置１０を操作する携帯ユーザーは、表示装置１０を充電装置２００に装着する前の段階で、表示装置１０にデータの指定と、そのデータを送信する設定値とを設定した後で、表示装置１０を充電装置２００に装着すれば、表示装置１０で指定したデータがＭＦＰ１００によって送信される。ＭＦＰ１００においてデータを送信する設定値を設定する操作をする必要がなく、その操作を表示装置１０ですることができる。
【０１３８】
ステップＳ２２０においては、データとデータ記憶指示とをＭＦＰ１００に通信Ｉ／Ｆ２１７を介して送信し、処理をステップＳ２０１に戻す。これにより、例えば、表示装置１０を操作する携帯ユーザーは、表示装置１０を充電装置２００に装着する前の段階で、表示装置１０にデータの指定と、そのデータを記憶する設定値とを設定した後で、表示装置１０を充電装置２００に装着すれば、表示装置１０で指定したデータがＭＦＰ１００によって記憶される。このため、ＭＦＰ１００においてデータを記憶する処理条件を設定する操作をする必要がなく、その操作を表示装置１０ですることができる。
【０１３９】
ステップＳ２２１においては、設定依頼をＭＦＰ１００に通信Ｉ／Ｆ２１７を介して送信し、次のステップＳ２２２においては、データをＭＦＰ１００に通信Ｉ／Ｆ２１７を介して送信し、処理をステップＳ２０１に戻す。これにより、例えば、表示装置１０を操作する携帯ユーザーは、表示装置１０を充電装置２００に装着する前の段階で、表示装置１０にデータを指定した後で、表示装置１０を充電装置２００に装着すれば、表示装置１０で指定したデータがＭＦＰ１００によって受信される。その後、ＭＦＰ１００において処理条件を設定すれば、設定された処理条件でデータが出力される。このため、データを指定する操作を表示装置１０ですることができる。
【０１４０】
図１５は、ＭＦＰ連携処理の流れの一例を示すフローチャートである。ＭＦＰ連携処理は、図１４のステップＳ２０８において実行される処理である。ＭＦＰ連携処理が実行される前の段階では、状態一覧画面が生成されている。図１５を参照して、ＣＰＵ２１１は、状態一覧画面をＭＦＰに通信Ｉ／Ｆ２１４を介して送信する（ステップＳ２３１）。これにより、ＭＦＰ１００において、表示部１３１に状態一覧画面が表示される。
【０１４１】
ステップＳ２３２においては、ＭＦＰ１００にユーザーが、ログインしたか否かを判断する。ＭＦＰ１００は、操作部１３３を操作するユーザーが入力する認証情報を受け付け、認証情報に基づいて認証し、認証に成功したならばログインを許可する。ＭＦＰ１００は、ログインを許可する場合、認証したユーザーを識別するための装置ユーザー識別情報を充電装置２００に送信するので、通信Ｉ／Ｆ２１７がＭＦＰ１００から装置ユーザー識別情報を受信すると、ＭＦＰ１００にユーザーがログインしたと判断する。ユーザーがＭＦＰ１００にログインしたと判断するならば処理をステップＳ２３３に進めるが、そうでなければ処理を表示装置管理処理に戻す。
【０１４２】
ステップＳ２３３においては、装置ユーザーに割り当てられた表示装置が、装着されているか否かを判断する。装置ユーザーは、ＭＦＰ１００により認証されたユーザーをいう。装置ユーザーに割り当てられた表示装置は、接続装置であって、装置ユーザー識別情報と同じ携帯ユーザー識別情報を記憶する表示装置である。具体的には、ＥＥＰＲＯＭ２１５に記憶されている接続情報を検索し、装置ユーザー識別情報と同じ携帯ユーザー識別情報を含む接続情報を抽出する。そのような接続情報を抽出する場合、装置ユーザーに割り当てられた表示装置が装着されていると判断するが、そのような接続情報を抽出しない場合、装置ユーザーに割り当てられた表示装置が装着されていないと判断する。装置ユーザーに割り当てられた表示装置が装着されていると判断するならば処理をステップＳ２３４に進めるが、そうでなければ処理をステップＳ２３６に進める。
【０１４３】
ステップＳ２３４においては、第１ユーザー装置を特定する。ステップＳ２３３において、抽出された接続情報に含まれる装置識別情報で特定される表示装置を第１ユーザー装置に特定する。そして、第１ユーザー装置の状態情報を、代表装置に表示する。具体的には、第１ユーザー装置の装置識別情報を含む接続情報をＥＥＰＲＯＭ２１６から読出し、読み出された接続情報を、代表スロットを介して、代表装置に送信し、表示させる。
【０１４４】
例えば、第１スロット２２１に表示装置１０が挿入され、第２スロット２２１Ａに表示装置１０Ａが挿入されている第１の状態では、第１スロット２２１が代表スロットであり、表示装置１０が代表装置である。この第１の状態で、表示装置１０Ａを操作していた携帯ユーザーＢが、ＭＦＰ１００に携帯ユーザー識別情報と同じ装置ユーザー識別情報でログインすれば、表示装置１０Ａに記憶されている状態情報が、代表装置である表示装置１０に表示される。このため、携帯ユーザーＢは、表示装置１０Ａの状態を、確認することができる。
【０１４５】
ステップＳ２３６においては、第２ユーザー装置選択指示を検出したか否かを判断する。ＭＦＰ１００に入力された操作を検出しており、検出された操作が、接続装置のいずれかを選択する操作の場合に、第２ユーザー装置選択指示を検出する。そして、第２ユーザー装置選択指示により選択された接続装置を第２ユーザー装置に決定する（ステップＳ２３７）。例えば、上記第１の状態において、表示装置１０Ａに携帯ユーザー識別情報「ユーザーＢ」が記憶された携帯ユーザーＢがＭＦＰ１００にログインした後、第１スロット２２１に装着された表示装置１０を選択する操作をＭＦＰ１００に入力する場合、表示装置１０を第２ユーザー装置にする。また、上記第１の状態において、表示装置１０Ｂに携帯ユーザー識別情報「ユーザーＣ」が記憶された携帯ユーザーＣがＭＦＰ１００にログインした後、第１スロット２２１に装着された表示装置１０を選択する操作を、ＭＦＰ１００に入力する場合、表示装置１０を第２ユーザー装置にする。なお、この場合には、ステップＳ２３３においてＮＯと判断され、第１ユーザー装置は決定されていない。
【０１４６】
ステップＳ２３８においては、装置ユーザーのカスタマイズ情報が存在するか否かを判断する。具体的には、装置ユーザーの装置ユーザー識別情報と同じ携帯ユーザー識別情報を含む接続情報が、ＥＥＰＲＯＭ２１５に記憶されており、かつ、その接続情報がカスタマイズ情報を含むならば、装置ユーザーのカスタマイズ情報が存在すると判断する。カスタマイズ情報が存在するならば処理をステップＳ２３９に進め、存在しなければ処理をステップＳ２４０に進める。
【０１４７】
ステップＳ２３９においては、カスタマイズ情報を取得し、処理をステップＳ２４３に進める。装置ユーザーの装置ユーザー識別情報と同じ携帯ユーザー識別情報を含む接続情報をＥＥＰＲＯＭ２１５から読み出し、読み出した接続情報に含まれるカスタマイズ情報を取得する。
【０１４８】
一方、ステップＳ２４０においては、ＭＦＰに装置ユーザーのカスタマイズ情報が記憶されているか否かを判断する。通信Ｉ／Ｆ２１７を介してＭＦＰにカスタマイズ情報の有無を問い合わせし、ＭＦＰから受信される回答結果に基づいて判断する。回答結果が、ＭＦＰ１００に装置ユーザーのカスタマイズ情報が記憶されていることを示すならば処理をステップＳ２４１に進めるが、そうでなければ処理をステップＳ２４２に進める。ステップＳ２４１においては、ＭＦＰからカスタマイズ情報を取得し、処理をステップＳ２４３に進める。ＭＦＰ１００にカスタマイズ情報の送信を要求し、通信Ｉ／Ｆ２１７がＭＦＰから受信するカスタマイズ情報を取得する。
【０１４９】
ステップＳ２４２においては、携帯ユーザー用のデフォルトのカスタマイズ情報を生成し、処理をステップＳ２４３に進める。装置ユーザーの装置ユーザー識別情報を携帯ユーザー識別情報とし、携帯ユーザー識別情報を含むデフォルトのカスタマイズ情報を生成する。
【０１５０】
ステップＳ２４３においては、カスタマイズ情報を第２ユーザー装置に記憶させる。具体的には、カスタマイズ情報は、処理がステップＳ２３９から進む場合には、ＥＥＰＲＯＭ２１５から読み出された接続情報に含まれるカスタマイズ情報であり、処理がステップＳ２４１から進む場合にはＭＦＰ１００に記憶されたカスタマイズ情報であり、処理がステップＳ２４２から進む場合には装置ユーザーの装置ユーザー識別情報を含むデフォルトのカスタマイズ情報である。第１〜第５スロット２２１、２２１Ａ〜２２１Ｄのうち接続スロットであって、ステップＳ２３７において決定された第２ユーザー装置が接続されている接続スロットを介して、カスタマイズ情報を送信し、第２ユーザー装置に記憶させる。例えば、上記第１の状態において、表示装置１０Ａに携帯ユーザー識別情報「ユーザーＢ」が記憶された携帯ユーザーＢがＭＦＰ１００にログインした後、第１スロット２２１に装着された表示装置１０を選択する操作をＭＦＰ１００に入力する場合、接続スロットである第１スロット２２１を介して、第２ユーザー装置である表示装置１０にカスタマイズ情報を送信し、記憶させる。この際、第２ユーザー装置である表示装置１０に、既に別のカスタマイズ情報が記憶されている場合には、既に記憶されているカスタマイズ情報に代えて、新たなカスタマイズ情報を記憶させる。
【０１５１】
ステップＳ２４４においては、第１ユーザー装置が存在するか否かを判断する。ステップＳ２３４が実行されて、第１ユーザー装置が決定されているならば、第１ユーザー装置が存在すると判断する。第１ユーザー装置が存在するならば処理をステップＳ２４５に進めるが、存在しなければ処理を表示装置管理処理に戻す。
【０１５２】
ステップＳ２４５においては、第１ユーザー装置からカスタマイズ情報を消去する。第１〜第５スロット２２１、２２１Ａ〜２２１Ｄのうち接続スロットであって、ステップＳ２３４において決定された第１ユーザー装置が接続されている接続スロットを介して、ステップＳ２３４において決定された第１ユーザー装置に記憶されているカスタマイズ情報を消去するコマンドを送信し、第１ユーザー装置にカスタマイズ情報を消去させる。例えば、上記第１の状態において、表示装置１０Ａに携帯ユーザー識別情報「ユーザーＢ」が記憶された携帯ユーザーＢがＭＦＰ１００にログインした後、第１スロット２２１に装着された表示装置１０を選択する操作をＭＦＰ１００に入力する場合、接続スロットである第２スロット２２１Ａを介して、第１ユーザー装置である表示装置１０Ａにカスタマイズ情報を消去するコマンドを送信し、表示装置１０Ａに、それに記憶されている携帯ユーザー識別情報「ユーザーＢ」を含むカスタマイズ情報を消去させる。
【０１５３】
次のステップＳ２４６においては、接続情報を更新し、処理をステップＳ２４７に進める。具体的には、ＥＥＰＲＯＭ２１５に記憶されている接続情報のうちから、第１〜第５スロット２２１、２２１Ａ〜２２１Ｄのうち接続スロットであって、ステップＳ２３４において決定された第１ユーザー装置が接続されている接続スロットのスロット識別情報を含む接続情報を特定し、その接続情報のカスタマイズ情報を消去する。さらに、ＥＥＰＲＯＭ２１５に記憶されている接続情報のうちから、第１〜第５スロット２２１、２２１Ａ〜２２１Ｄのうち接続スロットであって、ステップＳ２３７において決定された第２ユーザー装置が接続されている接続スロットのスロット識別情報を含む接続情報を特定し、その接続情報のカスタマイズ情報を、ステップＳ２３９，ステップＳ２４１またはステップＳ２４２において取得されたカスタマイズ情報に置き換える。
【０１５４】
ステップＳ２４７においては、ＥＥＰＲＯＭ２１５に記憶されている接続情報に基づいて状態一覧画面を生成する。ステップＳ２４６が実行されて更新された後の接続情報に基づいて状態一覧画面を生成する。次のステップＳ２４８においては、代表装置に状態一覧画面を表示し、処理を表示装置管理処理に戻す。ＭＦＰ連携処理が実行される前の段階で、代表装置が決定されている。第１スロット２２１に表示装置１０が挿入されており、第２スロット２２１Ａに表示装置１０Ａが接続されている第１の状態においては、表示装置１０が代表装置である。この場合には、第１スロット２２１を介して、代表装置である表示装置１０に、ステップＳ２４７において生成された状態一覧画面を送信し、表示装置１０に状態一覧画面を表示させる。
【０１５５】
次に表示装置１０により実行される充電時制御処理について説明する。図１６は、充電時制御処理の流れの一例を示すフローチャートである。充電時制御処理は、表示装置１０が備えるＣＰＵ１１が、ＲＯＭ１３、ＥＥＰＲＯＭ１７、またはＣＤ−ＲＯＭ２５Ａに記憶された充電時制御プログラムを実行することにより、ＣＰＵ１１により実行される処理である。図１６を参照して、ＣＰＵ１１は、表示装置１０を操作するユーザーにより、ＥＥＰＲＯＭ１７に記憶されているデータの指定を受け付けたか否かを判断する（ステップＳ０１）。データ指定画面をＬＣＤ１９に表示し、操作部２３が、表示装置１０を操作するユーザーが入力するデータを指定する操作を受け付けたか否かを判断する。データを指定する操作を受け付けたならば処理をステップＳ０２に進めるが、そうでなければ処理をステップＳ０６に進める。
【０１５６】
ステップＳ０２においては、ステップＳ０１において指定されたデータを処理対象データに設定し、処理対象データを出力情報に設定する。そして、設定情報を受け付けたか否かを判断する（ステップＳ０３）。携帯側出力設定画面をＬＣＤ１９に表示し、操作部２３が、表示装置１０を操作する携帯ユーザーによる設定情報を入力する操作を受け付けたか否かを判断する。設定情報を入力する操作を受け付けたならば処理をステップＳ０４に進めるが、そうでなければ処理をステップＳ０５に進める。ステップＳ０４においては、受け付けられた設定情報を出力情報に設定し、処理をステップＳ０５に進める。
【０１５７】
ステップＳ０５においては、出力情報をＥＥＰＲＯＭ１７に記憶し、処理をステップＳ０６に進める。ＥＥＰＲＯＭ１７に記憶される出力情報は、ステップＳ０４が実行される場合は処理対象データと設定情報とを含むが、ステップＳ０４が実行されない場合は処理対象データを含み、設定情報を含まない。
【０１５８】
ステップＳ０６においては、充電装置２００と接続されたか否かを判断する。具体的には、外部Ｉ／Ｆ２５が備える所定のコネクタ端子の電圧が、充電装置２００の第１〜第５スロット２２１，２２１Ａ，２２１Ｂ，２２１Ｃ，２２１Ｄのいずれかと電気的に接続されることにより変化するので、そのコネクタ端子の電圧の変化を検出する場合に、充電装置と接続されたと判断する。充電装置と接続されたならば処理をステップＳ０７に進めるが、そうでなければ処理をステップＳ０１に戻す。このため、出力情報がＥＥＰＲＯＭ１７に記憶されるのは、表示装置１０が充電装置２００と接続される前の段階である。
【０１５９】
ステップＳ０７においては、ＬＣＤ１９の駆動を停止する。これにより、消費電力が低減するので、バッテリー２７に電力を効率的に蓄電することができる。次のステップＳ０９においては、ＥＥＰＲＯＭ１７に出力情報が記憶されているか否かを判断する。そして、出力情報が記憶されているならば処理をステップＳ０９に進めるが、そうでなければステップＳ０９をスキップして処理をステップＳ１０に進める。ステップＳ０９においては、外部Ｉ／Ｆ２５を介して充電装置２００に出力情報を送信し、処理をステップＳ１０に進める。
【０１６０】
ステップＳ１０においては、情報送受信処理を実行し、処理をステップＳ１１に進める。情報送受信処理の詳細は後述するが、充電装置２００との間で情報を送受信する処理である。
【０１６１】
ステップＳ１１においては、外部Ｉ／Ｆ２５が充電装置２００から状態一覧画面を受信したか否かを判断する。状態一覧画面を受信したならば処理をステップＳ１２に進めるが、そうでなければ処理をステップＳ１４に進める。ステップＳ１２においては、ＬＣＤ１９を駆動し、処理をステップＳ１３に進める。そして、ＬＣＤ１９にステップＳ１１において受信された状態一覧画面を表示し、処理をステップＳ１４に進める。
【０１６２】
ステップＳ１４においては、外部Ｉ／Ｆ２５が充電装置２００から状態情報を受信したか否かを判断する。状態情報を受信したならば処理をステップＳ１５に進めるが、そうでなければステップＳ１５をスキップして処理をステップＳ１６に進める。状態情報が受信される場合は、状態一覧画面が受信された後なので、状態情報が受信される時点でＬＣＤ１２は駆動されている。ステップＳ１５においては、ＬＣＤ１９にステップＳ１４において受信された状態情報を表示し、処理をステップＳ１６に進める。
【０１６３】
ステップＳ１６においては、操作を受け付けたか否かを判断する。操作部２３が、表示装置１０を操作するユーザーによる操作を受け付けたか否かを判断する。操作を受け付けたならば処理をステップＳ１７に進めるが、そうでなければ、ステップＳ１７をスキップして、処理をステップＳ１８に進める。ステップＳ１７においては、外部Ｉ／Ｆ２５を介して充電装置２００に、ステップＳ１６において受け付けられた操作を識別するための操作識別情報を送信し、処理をステップＳ１８に進める。操作識別情報は、ＬＣＤ１９に表示されている画面によって定まる。例えば、画面がボタンを含む場合に、操作が画面中のボタンの位置を示す位置情報の場合には、そのボタンに関連付けられた操作が特定され、特定された操作に対応する操作識別情報が定まる。
【０１６４】
ステップＳ１８においては、充電装置２００との接続が解除されたか否かを判断する。具体的には、外部Ｉ／Ｆ２５が備える所定のコネクタ端子の電圧の変化が検出された場合に、充電装置２００との電気的な接続が解除されたと判断する。充電装置２００との電気的な接続が解除されたならば処理をステップＳ１９に進めるが、そうでなければ処理をステップＳ１０に戻す。
【０１６５】
ステップＳ１９においては、ＬＣＤ１９を駆動し、処理をステップＳ２０に進める。なお、既にＬＣＤが駆動されている場合には、その状態を維持し、処理をステップＳ２０に進める。そして、ＬＣＤ１９に初期画面を表示し（ステップＳ２０）、処理を終了する。
【０１６６】
図１７は、情報送受信処理の流れの一例を示すフローチャートである。情報送受信処理は、図１６のステップＳ１０において実行される処理である。図１７を参照して、外部Ｉ／Ｆ２５が充電装置２００から状態取得要求を受信したか否かを判断する。状態取得要求を受信したならば処理をステップＳ２２に進めるが、そうでなければステップＳ２２をスキップして処理をステップＳ２３に進める。ステップＳ２２においては、外部Ｉ／Ｆ２５を介してＥＥＰＲＯＭ１７に記憶されている状態情報を充電装置２００に送信し、処理をステップＳ２３に進める。状態情報は、表示装置１０の状態を示す情報であり、表示装置１０を識別するための装置識別情報と、バッテリー２７の残容量と、記憶されている文書に関する情報と、メンテナンス情報と、を含む。
【０１６７】
ステップＳ２３においては、外部Ｉ／Ｆ２５が充電装置２００からカスタマイズ情報取得要求を受信したか否かを判断する。カスタマイズ情報取得要求を受信したならば処理をステップＳ２４に進めるが、そうでなければステップＳ２４をスキップして処理をステップＳ２５に進める。ステップＳ２４においては、外部Ｉ／Ｆ２５を介してＥＥＰＲＯＭ１７に記憶されているカスタマイズ情報を充電装置２００に送信し、処理をステップＳ２５に進める。カスタマイズ情報は、表示装置１０を操作する携帯ユーザーを識別するための携帯ユーザー識別情報と、電子メールアドレス等のアドレス情報と、画面の表示項目を定める表示設定情報と、を含む。
【０１６８】
ステップＳ２５においては、外部Ｉ／Ｆ２５が充電装置２００からカスタマイズ情報記憶指示を受信したか否かを判断する。カスタマイズ情報記憶指示を受信したならば処理をステップＳ２６に進めるが、そうでなければステップＳ２６をスキップして処理をステップＳ２７に進める。ステップＳ２６においては、ステップＳ２５において受信されたカスタマイズ情報記憶指示に含まれるカスタマイズ情報をＥＥＰＲＯＭ１７に記憶し、処理をステップＳ２７に進める。
【０１６９】
ステップＳ２７においては、外部Ｉ／Ｆ２５が充電装置２００からカスタマイズ情報消去指示を受信したか否かを判断する。カスタマイズ情報消去指示を受信したならば処理をステップＳ２８に進めるが、そうでなければステップＳ２８をスキップして処理を充電時制御処理に戻す。ステップＳ２８においては、ＥＥＰＲＯＭ１７に記憶されているカスタマイズ情報を消去し、処理を充電時制御処理に戻す。
【０１７０】
図１８は、充電装置連携処理の流れの一例を示すフローチャートである。充電装置連携処理は、ＭＦＰ１００が備えるＣＰＵ１１１が、ＲＯＭ１１３、ＥＥＰＲＯＭ１１５、ＨＤＤ１１６またはＣＤ−ＲＯＭ１１９Ａに記憶された充電装置連携プログラムを実行することにより、ＣＰＵ１１１により実行される処理である。図１８を参照して、ＣＰＵ１１１は、ログイン要求を受けたか否かを判断する（ステップＳ１０１）。操作部１３３が備えるキーであって、ログイン要求を受け付けるために予め定められたキーが、ＭＦＰ１００を操作する装置ユーザーにより押下されたならばログイン要求を受け付ける。ログイン要求を受け付けたならば処理をステップＳ１０２に進めるが、そうでなければ処理をステップＳ１０７に進める。
【０１７１】
ステップＳ１０２においては、表示部１３１にログイン画面を表示する。そして、ログイン画面に従って装置ユーザーが操作部１３３に入力する認証情報を受け付ける（ステップＳ１０３）。認証情報は、装置ユーザーを識別するための装置ユーザー識別情報と、パスワードとを含む。次に受け付けられた認証情報を、ＥＥＰＲＯＭ１１５に記憶された認証情報と比較することによって、認証する（ステップＳ１０４）。ＥＥＰＲＯＭ１１５に記憶された認証情報は、ＭＦＰ１００の使用が予め許可されたユーザーの認証情報である。そして、認証に成功したか否かを判断する（ステップＳ１０５）。認証に成功したならば（ステップＳ１０５でＹＥＳ）、処理をステップＳ１０６に進めるが、認証に失敗したならば（ステップＳ１０５でＮＯ）、処理をステップＳ１０７に進める。
【０１７２】
ステップＳ１０６においては、通信Ｉ／Ｆ部１１２を介して、ステップＳ１０５において認証された装置ユーザーの装置ユーザー識別情報を充電装置２００に送信し、処理をステップＳ１０７に進める。
【０１７３】
ステップＳ１０７においては、通信Ｉ／Ｆ部１１２が、充電装置２００からカスタマイズ情報送信要求を受信したか否かを判断する。カスタマイズ情報送信要求は、携帯ユーザー識別情報を含む。カスタマイズ情報送信要求を受信したならば処理をステップＳ１０８に進めるが、そうでなければ処理をステップＳ１１０に進める。ステップＳ１０８においては、カスタマイズ情報送信要求に含まれる携帯ユーザー識別情報を含むカスタマイズ情報がＥＥＰＲＯＭ１１５に記憶されているか否かを判断する。携帯ユーザー識別情報を含むカスタマイズ情報がＥＥＰＲＯＭ１１５に記憶されているならば、処理をステップＳ１０９に進めるが、そうでなければ処理をステップＳ１１０に進める。ステップＳ１０９においては、カスタマイズ情報送信要求に含まれる携帯ユーザー識別情報を含むカスタマイズ情報を充電装置２００に送信し、処理をステップＳ１１０に進める。
【０１７４】
ステップＳ１１０においては、通信Ｉ／Ｆ部１１２が、充電装置２００から状態一覧画面を受信したか否かを判断する。状態一覧画面を受信したならば処理をステップＳ１１１に進めるが、そうでなければステップＳ１１１をスキップして処理をステップＳ１１２に進める。ステップＳ１１１においては、状態一覧画面を表示部１３１に表示し、処理をステップＳ１１２に進める。
【０１７５】
ステップＳ１１２においては、通信Ｉ／Ｆ部１１２が、充電装置２００から状態情報を受信したか否かを判断する。状態情報を受信したならば処理をステップＳ１１３に進めるが、そうでなければステップＳ１１３をスキップして処理をステップＳ１１４に進める。ステップＳ１１３においては、表示部１３１にステップＳ１１２において受信された状態情報を表示し、処理をステップＳ１１４に進める。
【０１７６】
ステップＳ１１４においては、操作を受け付けたか否かを判断する。操作部１３３が、ＭＦＰ１００を操作する装置ユーザーによる操作を受け付けたか否かを判断する。操作を受け付けたならば処理をステップＳ１１５に進めるが、そうでなければ、ステップＳ１１５をスキップして、処理をステップＳ１０１に戻す。ステップＳ１１５においては、通信Ｉ／Ｆ部１１２を介して充電装置２００に、ステップＳ１１４において受け付けられた操作を識別するための操作識別情報を送信し、処理をステップＳ１０１に戻す。操作識別情報は、表示部１３１に表示されている画面によって定まる。例えば、画面がボタンを含む場合に、操作が画面中のボタンの位置を示す位置情報の場合には、そのボタンに関連付けられた操作が特定され、特定された操作に対応する操作識別情報が定まる。
【０１７７】
図１９は、代表装置の変化の一例を示す第１の図である。図１９（Ａ）は、充電装置２００に装着された代表装置が脱着される前の状態を示し、図１９（Ｂ）は、充電装置２００に装着された代表装置が脱着された後の状態を示す。図１９（Ａ）を参照して、充電装置２００は、手前側から奥側に向かって（前方方向と反対方向に）、順に第１スロット２２１、第２スロット２２１Ａ、第３スロット２２１Ｂ、第４スロット２２１Ｃ、第５スロット２２１Ｄが配置されている。第１スロット２２１に表示装置１０が装着され、第２スロット２２１Ａおよび第３スロット２２１Ｂには何も装着されておらず、第４スロット２２１Ｃに表示装置１０Ｃが装着され、第５スロット２２１Ｄに表示装置１０Ｄが装着されている。図１９（Ａ）に示す状態では、接続スロットは、第１スロット２２１、第４スロット２２１Ｃおよび第５スロット２２１Ｄであり、代表スロットは最も手前側に配置された第１スロット２２１である。また、代表装置は、表示装置１０である。
【０１７８】
図１９（Ｂ）を参照して、第１スロット２２１、第２スロット２２１Ａおよび第３スロット２２１Ｂには何も装着されておらず、第４スロット２２１Ｃに表示装置１０Ｃが装着され、第５スロット２２１Ｄに表示装置１０Ｄが装着されている。図１９（Ｂ）に示す状態では、接続スロットは、第４スロット２２１Ｃおよび第５スロット２２１Ｄであり、代表スロットは最も手前側に配置された第４スロット２２１Ｃである。また、代表装置は、表示装置１０Ｃである。
【０１７９】
図１９（Ａ）に示す状態において、表示装置１０が充電装置２００から脱着すると、図１９（Ｂ）に示す状態になるが、代表装置は表示装置１０から表示装置１０Ｃに変更される。このため、充電装置２００に複数の表示装置が装着されている場合に、複数の表示装置のうち最も手前側に装着された表示装置が代表装置となる。また、代表装置に、状態一覧画面または状態情報を表示するので、ユーザーは、状態一覧画面または状態情報を確認することができる。
【０１８０】
図２０は、代表装置の変化の一例を示す第２の図である。図２０（Ａ）は、充電装置２００に表示装着が追加して装着される前の状態を示し、図２０（Ｂ）は、充電装置２００に表示装置が追加して装着された後の状態を示す。図２０（Ａ）を参照して、第１スロット２２１および第２スロット２２１Ａには何も装着されておらず、第３スロット２２１Ｂに表示装置１０Ｂが装着され、第４スロット２２１Ｃに表示装置１０Ｃが装着され、第５スロット２２１Ｄに表示装置１０Ｄが装着されている。図２０（Ａ）に示す状態では、接続スロットは、第３スロット２２１Ｂ、第４スロット２２１Ｃおよび第５スロット２２１Ｄであり、代表スロットは最も手前側に配置された第３スロット２２１Ｂである。また、代表装置は、表示装置１０Ｂである。
【０１８１】
図２０（Ｂ）を参照して、第１スロット２２１に表示装置１０が装着され、第２スロット２２１Ａには何も装着されておらず、第３スロット２２１Ｂに表示装置１０Ｂが装着され、第４スロット２２１Ｃに表示装置１０Ｃが装着され、第５スロット２２１Ｄに表示装置１０Ｄが装着されている。図２０（Ｂ）に示す状態では、接続スロットは、第１スロット２２１、第３スロット２２１Ｂ、第４スロット２２１Ｃおよび第５スロット２２１Ｄであり、代表スロットは最も手前側に配置された第１スロット２２１である。また、代表装置は、表示装置１０である。
【０１８２】
図２０（Ａ）に示す状態において、第１スロット２２１に表示装置１０が装着されると、図２０（Ｂ）に示す状態になるが、代表装置は表示装置１０Ｂから表示装置１０に変更される。このため、充電装置２００に複数の表示装置が装着されている場合に、複数の表示装置のうち最も手前側に装着された表示装置が代表装置となる。また、代表装置に、状態一覧画面または状態情報を表示するので、ユーザーは、状態一覧画面または状態情報を確認することができる。
【０１８３】
以上説明したように、本実施の形態における会議システム１００において、充電装置２００は、第１〜第５スロット２２１，２２１Ａ，２２１Ｂ，２２１Ｃ，２２１Ｄのうち表示装置１０，１０Ａ，１０Ｂ，１０Ｃ，１０Ｄのいずれかと電気的に接続されているスロットを接続スロットとして検出し、複数の接続スロットが検出される場合、第１〜第５スロット２２１，２２１Ａ，２２１Ｂ，２２１Ｃ，２２１Ｄの配列順に基づいて代表スロットを決定し、表示装置１０，１０Ａ，１０Ｂ，１０Ｃ，１０Ｄのうち代表スロットに接続されている接続装置の表示を制御する。このため、表示装置１０，１０Ａ，１０Ｂ，１０Ｃ，１０Ｄのうちから決定された代表装置の表示を制御するので、複数の表示装置に表示するための情報を１つの代表装置に表示することができる。その結果、複数の表示装置の消費電力を低減しつつ複数の表示装置の状態を表示することができる。
【０１８４】
また、接続スロットと、表示装置１０，１０Ａ，１０Ｂ，１０Ｃ，１０Ｄのうち当該接続スロットと電気的に接続される表示装置から取得された状態情報とを関連付けた接続情報を生成し、複数の接続情報を代表装置に表示する。このため、表示装置１０，１０Ａ，１０Ｂ，１０Ｃ，１０Ｄそれぞれが第１〜第５スロット２２１，２２１Ａ，２２１Ｂ，２２１Ｃ，２２１Ｄのいずれに接続されているかを代表装置に表示することができる。
【０１８５】
また、表示装置１０，１０Ａ，１０Ｂ，１０Ｃ，１０Ｄごとに、当該表示装置に関連付けられた状態情報を含む状態一覧画面が代表装置に表示されるので、表示装置１０，１０Ａ，１０Ｂ，１０Ｃ，１０Ｄの状態を一画面で表示することができる。
【０１８６】
また、表示装置１０，１０Ａ，１０Ｂ，１０Ｃ，１０Ｄのうち、第１〜第５スロット２２１，２２１Ａ，２２１Ｂ，２２１Ｃ，２２１Ｄのいずれかに接続されており、かつ、ＭＦＰ１００において認証されたユーザーの装置ユーザー識別情報と同じ携帯ユーザー識別情報を記憶する表示装置を第１ユーザー装置に決定し、第１ユーザー装置から取得された状態情報を代表装置に表示される。このため、ＭＦＰ１００を操作するユーザーは、過去に使用していた表示装置の状態を、代表装置に表示された状態情報から知ることができる。
【０１８７】
また、表示装置１０，１０Ａ，１０Ｂ，１０Ｃ，１０Ｄのうち、第１〜第５スロット２２１，２２１Ａ，２２１Ｂ，２２１Ｃ，２２１Ｄのいずれかに接続されており、かつ、ＭＦＰ１００において認証されたユーザーにより選択された表示装置を、第２ユーザー装置に決定し、ＭＦＰ１００において認証されたユーザーの装置ユーザー識別情報と同じ携帯ユーザー識別情報を第２ユーザー装置に記憶させる。このため、ＭＦＰ１００を操作するユーザーは、表示装置１０，１０Ａ，１０Ｂ，１０Ｃ，１０Ｄのうち、第１〜第５スロット２２１，２２１Ａ，２２１Ｂ，２２１Ｃ，２２１Ｄのいずれかに接続されているもののうちから、これから使用する表示装置を任意に決定することができる。
【０１８８】
また、ＭＦＰ１００において認証されたユーザーの装置ユーザー識別情報と同じ携帯ユーザー識別情報を第２ユーザー装置に記憶させている間、第２ユーザー装置を識別するための装置識別情報を代表装置に表示させる。このため、ＭＦＰ１００において認証されたユーザーは、これから使用する表示装置を確認することができる。
【０１８９】
また、第２ユーザー装置が第１ユーザー装置と異なる場合、第１ユーザー装置に記憶されている携帯ユーザー識別情報を含むカスタマイズ情報を消去する。このため、第１ユーザー装置を次に使用するユーザーに、ＭＦＰ１００において認証されたユーザーに関するカスタマイズ情報が知られるのを防止することができる。
【０１９０】
また、表示装置１０，１０Ａ，１０Ｂ，１０Ｃ，１０Ｄのうち、第１〜第５スロット２２１，２２１Ａ，２２１Ｂ，２２１Ｃ，２２１Ｄのいずれかに接続された表示装置が出力するデータおよび設定情報を取得する場合、取得されたデータに対して設定情報で特定される処理をＭＦＰ１００に実行させる。このため、ＭＦＰ１００に実行させる処理を表示装置１０，１０Ａ，１０Ｂ，１０Ｃ，１０Ｄで設定することができ、ＭＦＰ１００に直接入力する必要がない。
【０１９１】
また、表示装置１０，１０Ａ，１０Ｂ，１０Ｃ，１０Ｄのうち、第１〜第５スロット２２１，２２１Ａ，２２１Ｂ，２２１Ｃ，２２１Ｄのいずれかに接続された表示装置が出力するデータを出力するが、設定情報を出力しない場合、設定情報を受け付ける処理の実行を指示する設定依頼をＭＦＰ１００に出力し、ＭＦＰ１００で設定情報を受け付ける処理を実行させる。このため、ＭＦＰ１００でデータを処理させるための設定情報を設定することができる。
【０１９２】
また、
好ましくは、接続スロット検出手段により検出された接続スロットにおいて、当該接続スロットと電気的に接続される表示装置との電気的な接続が解除される場合、当該接続スロットを解除スロットとして検出する解除スロット検出手段と、接続情報生成手段により生成された接続情報のうち解除スロットに関連付けられた接続情報を消去する接続情報更新手段と、をさらに備え、代表スロット決定手段は、解除スロット検出手段により検出された解除スロットが代表スロットの場合、複数の接続スロットのうち解除スロットを除く複数の接続スロットのうちから新たな代表スロットを決定する。
【０１９３】
この局面に従えば、第１〜第５スロット２２１，２２１Ａ，２２１Ｂ，２２１Ｃ，２２１Ｄのうち、表示装置１０，１０Ａ，１０Ｂ，１０Ｃ，１０Ｄのいずれかと電気的に接続されていた接続スロットにおいて、電気的な接続が解除される場合、その接続スロットを解除スロットとして検出し、ＥＥＰＲＯＭ２１５に記憶された接続情報のうち解除スロットに関連付けられた接続情報を消去する。さらに、解除スロットが代表スロットの場合、複数の接続スロットのうち解除スロットを除く複数の接続スロットのうちから新たな代表スロットを決定する。このため、第１〜第５スロット２２１，２２１Ａ，２２１Ｂ，２２１Ｃ，２２１Ｄに装着されていた表示装置が脱着される場合であっても、新たな代表スロットに接続情報が表示されるので、接続情報をユーザーに視認可能に表示することができる。
【０１９４】
なお、上述した実施の形態においては、会議システム１について説明したが、図１４および図１５に示した表示装置管理処理を充電装置２００に実行させる充電管理方法、およびその充電管理方法を充電装置２００が備えるＣＰＵ２１１に実行させる充電管理プログラムとして、発明を捉えることができるのは言うまでもない。また、図１６および図１７に示した充電時制御処理を表示装置１０，１０Ａ，１０Ｂ，１０Ｃ，１０Ｄそれぞれに実行させる充電時制御方法、およびその充電時制御方法を表示装置１０，１０Ａ，１０Ｂ，１０Ｃ，１０Ｄそれぞれが備えるＣＰＵ１１に実行させる充電時制御プログラムであってもよい。さらに、図１８に示した充電装置連携処理をＭＦＰ１００に実行させる充電装置連携方法、およびその充電装置連携方法をＭＦＰ１００が備えるＣＰＵ１１１に実行させる充電装置連携プログラムであってもよい。
【０１９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１９６】
＜付記＞
（１）  前記接続スロットを介して、当該接続スロットと電気的に接続される前記装着装置から当該装着装置に記憶された携帯ユーザー情報を取得する携帯ユーザー情報取得手段を、さらに備えた、請求項４に記載の充電装置。
【符号の説明】
【０１９７】
１  会議システム、３  ネットワーク、１００  ＭＦＰ、２００  充電装置、１０，１０Ａ，１０Ｂ，１０Ｃ，１０Ｄ  表示装置、５  無線局、９１、９１Ａ，９１Ｂ，９１Ｃ，９１Ｄ  スタイラスペン、１１  ＣＰＵ、１３  ＲＯＭ、１５  ＲＡＭ、１７  ＥＥＰＲＯＭ、１９  ＬＣＤ、２１  無線ＬＡＮＩ／Ｆ、２３  操作部、２５  外部Ｉ／Ｆ部、２７  バッテリー、５１  接続検出部、５３  情報送信部、５５  出力設定部、５７  設定情報出力部、５９  消去指示受信部、６１  消去部、７１  状態情報、７３  カスタマイズ情報、１１０  メイン回路、１１１  ＣＰＵ、１１７  ファクシミリ部、１１９  外部記憶装置、１２１  自動原稿搬送装置、１２３  原稿読取部、１２５  画像形成部、１２７  給紙部、１２９  操作パネル、１３１  表示部、１３３  操作部、１３５  タッチパネル、１５１  操作受付部、１５３  認証部、１５５  装置ユーザー識別情報送信部、１５７  操作送信部、１５９  処理実行指示受信部、１６１  設定部、１６３  処理実行部、１６３  処理実行部、１６３  処理実行部、１７１  画像形成制御部、１７３  データ記憶部、１７５  データ送信部、２００  充電装置、２１１  ＣＰＵ、２１３  ＲＯＭ、２１５  ＥＥＰＲＯＭ、２１６  外部記憶装置、２１７  通信Ｉ／Ｆ、２１９  電源回路、２２１，２２１Ａ，２２１Ｂ，２２１Ｃ，２２１Ｄ  第１〜第５スロット、２５１  接続スロット検出部、２５３  解除スロット検出部、２５５  接続情報更新部、２５７  代表スロット決定部、２５９  表示制御部、２６１  状態情報取得部、２６３  接続情報生成部、２６５  装置ユーザー特定部、２６７  第１ユーザー装置決定部、２６９  操作検出部、２７１  第２ユーザー装置決定部、２７３  記憶制御部、２７５  設定情報取得部、２７７  処理実行制御部、２７９  消去制御部、２８１  状態一覧画面生成部、２８３  接続情報表示部。
【図１】
2013183586.tif 000003
【図２】
2013183586.tif 000004
【図３】
2013183586.tif 000005
【図４】
2013183586.tif 000006
【図５】
2013183586.tif 000007
【図６】
2013183586.tif 000008
【図７】
2013183586.tif 000009
【図８】
2013183586.tif 000010
【図９】
2013183586.tif 000011
【図１０】
2013183586.tif 000012
【図１１】
2013183586.tif 000013
【図１２】
2013183586.tif 000014
【図１３】
2013183586.tif 000015
【図１４】
2013183586.tif 000016
【図１５】
2013183586.tif 000017
【図１６】
2013183586.tif 000018
【図１７】
2013183586.tif 000019
【図１８】
2013183586.tif 000020
【図１９】
2013183586.tif 000021
【図２０】
2013183586.tif 000022